(57)【要約】【課題】移動通信端末側に特別な工夫をせずとも、移動通信端末による通信を制限し、且つ、特定端末とは通信可能にする通信制御システム、交換機、サービス制御局、および通信制御方法を提供する。【解決手段】通信制御システムＣＣ１は移動通信網に含まれており、移動通信端末ＭＢ１から他の通信端末への発信に応じて、移動通信端末ＭＢ１の発信時の状況が発信制限情報の示す条件を満たすか否かを判断する。条件を満たさない場合、すなわち移動通信端末ＭＢ１による発信が制限されない場合には、移動通信端末ＭＢ１から他の通信端末への発信を許可する。条件を満たす場合でも、他の通信端末が発信可端末情報に示される通信端末であれば、例外的に発信を許可する。【選択図】図１
2010016565.tif 000002
【特許請求の範囲】
【請求項１】
移動通信端末が接続される移動通信網に含まれる通信制御システムであって、
前記移動通信端末による発信が制限される条件を示す発信制限情報と、前記条件下であっても前記移動通信端末が発信可能な通信端末を示す発信可端末情報とが対応付けられて格納された格納手段と、
前記移動通信端末から他の通信端末への発信に応じて、前記格納手段から前記発信制限情報と前記発信可端末情報とを抽出する抽出手段と、
前記抽出手段によって抽出された前記発信制限情報および前記発信可端末情報に基づいて、前記移動通信端末から前記他の通信端末への発信の可否を判断する判断手段と、を備え、
前記判断手段は、
前記移動通信端末から前記他の通信端末への発信時の状況が前記抽出手段によって抽出された前記発信制限情報の示す条件に適合しない場合、および、前記状況が前記抽出手段によって抽出された前記発信制限情報の示す条件に適合し、且つ前記他の通信端末が前記抽出手段によって抽出された前記発信可端末情報の示す通信端末である場合には、前記移動通信端末による発信を許可し、
前記状況が前記抽出手段によって抽出された前記発信制限情報の示す条件に適合し、且つ前記他の通信端末が前記抽出手段によって抽出された前記発信可端末情報の示す通信端末ではない場合には、前記移動通信端末による発信を拒否することを特徴とする通信制御システム。
【請求項２】
交換機と、前記交換機に接続されたビジターロケーションレジスタとを備え、
前記抽出手段および前記判断手段は前記移動通信端末に接続された交換機に設けられ、前記格納手段は前記ビジターロケーションレジスタであることを特徴とする請求項１に記載の通信制御システム。
【請求項３】
前記交換機に接続されたサービス制御局と、前記サービス制御局に接続されたホームロケーションレジスタとを備え、
前記発信制限情報および前記発信可端末情報は前記ホームロケーションレジスタに格納されており、
前記サービス制御局には、前記移動通信端末からの位置登録要求に応じて、前記ホームロケーションレジスタから前記発信制限情報および前記発信可端末情報を抽出する制御局側抽出手段が設けられ、
前記格納手段は、前記制御局側抽出手段によって抽出された前記発信制限情報および前記発信可端末情報を格納することを特徴とする請求項２に記載の通信制御システム。
【請求項４】
前記移動通信端末に接続された交換機と、前記交換機に接続されたビジターロケーションレジスタと、前記交換機に接続されたサービス制御局と、前記サービス制御局に接続されたホームロケーションレジスタと、を備え、
前記抽出手段および前記判断手段は前記サービス制御局に設けられ、前記格納手段は前記ホームロケーションレジスタであり、
前記発信制限情報は、前記移動通信端末による発信が制限される時刻を示し、
前記ビジターロケーションレジスタには、前記発信制限情報に基づいて決定された、前記サービス制御局に指示を仰ぐべき時間帯を示す時間帯リストが格納され、
前記交換機には、
前記移動通信端末から前記他の通信端末への発信に応じて、前記ビジターロケーションレジスタから前記時間帯リストを抽出する交換機側抽出手段と、
前記移動通信端末から前記他の通信端末への発信時刻が前記交換機側抽出手段によって抽出された前記時間帯リストの示す時間帯に含まれるか否かを判断し、含まれないと判断した場合には前記移動通信端末による発信を許可する交換機側判断手段と、
前記交換機側判断手段によって前記時間帯リストの示す時間帯に含まれると判断された場合には、前記サービス制御局に指示要求を送信する交換機側送信手段と、
が設けられ、
前記サービス制御局では、
前記抽出手段が、前記交換機からの要求に応じて、前記ホームロケーションレジスタから前記発信制限情報と前記発信可端末情報とを抽出し、
前記判断手段が、
前記発信時刻が前記抽出手段によって抽出された前記発信制限情報の示す時刻に適合しない場合、および、前記発信時刻が前記抽出手段によって抽出された前記発信制限情報の示す時刻に適合し、且つ前記他の通信端末が前記抽出手段によって抽出された前記発信可端末情報の示す通信端末である場合には、前記移動通信端末による発信を許可し、
前記発信時刻が前記抽出手段によって抽出された前記発信制限情報の示す時刻に適合し、且つ前記他の通信端末が前記抽出手段によって抽出された前記発信可端末情報の示す通信端末ではない場合には、前記移動通信端末による発信を拒否することを特徴とする請求項１に記載の通信制御システム。
【請求項５】
前記サービス制御局には、前記移動通信端末からの位置登録要求に応じて、前記交換機に前記時間帯リストを送信する制御局側送信手段が設けられ、
前記ビジターロケーションレジスタは、前記制御局側送信手段によって送信された前記時間帯リストを格納することを特徴とする請求項４に記載の通信制御システム。
【請求項６】
移動通信端末が接続される移動通信網に含まれる通信制御システムであって、
前記移動通信端末による着信が制限される条件を示す着信制限情報と、前記条件下であっても前記移動通信端末が着信可能な通信端末を示す着信可端末情報とが対応付けられて格納された格納手段と、
他の通信端末から前記移動通信端末への発信に応じて、前記格納手段から前記着信制限情報と前記着信可端末情報とを抽出する抽出手段と、
前記抽出手段によって抽出された前記着信制限情報および前記着信可端末情報に基づいて、前記移動通信端末における前記他の通信端末からの着信の可否を判断する判断手段と、
を備え、
前記判断手段は、
前記他の通信端末から前記移動通信端末への発信時の状況が前記抽出手段によって抽出された前記着信制限情報の示す条件に適合しない場合、および、前記状況が前記抽出手段によって抽出された前記着信制限情報の示す条件に適合し、且つ前記他の通信端末が前記抽出手段によって抽出された前記着信可端末情報の示す通信端末である場合には、前記移動通信端末による着信を許可し、
前記状況が前記抽出手段によって抽出された前記着信制限情報の示す条件に適合し、且つ前記他の通信端末が前記抽出手段によって抽出された前記着信可端末情報の示す通信端末ではない場合には、前記移動通信端末による着信を拒否することを特徴とする通信制御システム。
【請求項７】
前記格納手段には、前記移動通信端末に代わって着信する通信端末を示す転送先情報と、前記転送先情報の示す通信端末が着信可能な通信端末を示す転送可端末情報と、が格納され、
前記抽出手段は、前記他の通信端末から前記移動通信端末への発信に応じて、前記格納手段から前記転送可端末情報を更に抽出し、
前記判断手段は、前記他の通信端末が前記抽出手段によって抽出された前記着信可端末情報の示す通信端末ではない場合であっても、前記他の通信端末が前記抽出手段によって抽出された前記転送可端末情報の示す通信端末である場合には、着信先を前記移動通信端末から前記転送先情報が示す通信端末に変更することを特徴とする請求項６に記載の通信制御システム。
【請求項８】
サービス制御局と、前記サービス制御局に接続されたホームロケーションレジスタとを備え、
前記抽出手段および前記判断手段は前記サービス制御局に設けられ、前記格納手段は前記ホームロケーションレジスタであることを特徴とする請求項６又は７に記載の通信制御システム。
【請求項９】
サービス制御局と、前記サービス制御局に接続されたホームロケーションレジスタとを備え、
前記抽出手段および前記判断手段は前記サービス制御局に設けられ、前記格納手段は前記ホームロケーションレジスタであり、
前記着信制限情報は、前記移動通信端末による着信が制限される時刻を示し、
前記サービス制御局には、
前記他の通信端末が接続された交換機に対して、前記着信制限情報に基づいて決定された、前記サービス制御局に指示を仰ぐべき時間帯を示す時間帯リストを送信する制御局側送信手段が設けられ、
前記サービス制御局の前記抽出手段は、前記他の通信端末から前記移動通信端末への発信時刻が前記時間帯リストの示す時間帯に含まれると判断した前記交換機からの要求に応じて、前記ホームロケーションレジスタから前記着信制限情報と前記着信可端末情報とを抽出し、
前記サービス制御局の前記判断手段は、
前記発信時刻が前記抽出手段によって抽出された前記着信制限情報の示す時刻に適合しない場合、および、前記発信時刻が前記抽出手段によって抽出された前記着信制限情報の示す時刻に適合し、且つ前記他の通信端末が前記抽出手段によって抽出された前記着信可端末情報の示す通信端末である場合には、前記移動通信端末による着信を許可し、
前記発信時刻が前記抽出手段によって抽出された前記着信制限情報の示す時刻に適合し、且つ前記他の通信端末が前記抽出手段によって抽出された前記着信可端末情報の示す通信端末ではない場合には、前記移動通信端末による着信を拒否することを特徴とする請求項６又は７に記載の通信制御システム。
【請求項１０】
移動通信端末が接続される移動通信網に含まれる交換機であって、
前記移動通信端末による発信が制限される条件を示す発信制限情報と、前記条件下であっても前記移動通信端末が発信可能な通信端末を示す発信可端末情報とを対応付けて前記交換機に接続されたビジターロケーションレジスタに格納させる交換機側指示手段と、
前記移動通信端末から他の通信端末への発信に応じて、前記ビジターロケーションレジスタから前記着信制限情報と前記発信可端末情報とを抽出する交換機側抽出手段と、
前記交換機側抽出手段によって抽出された前記発信制限情報および前記発信可端末情報に基づいて、前記移動通信端末から前記他の通信端末への発信の可否を判断する交換機側判断手段と、を備え、
前記交換機側判断手段は、
前記移動通信端末から前記他の通信端末への発信時の状況が前記交換機側抽出手段によって抽出された前記発信制限情報の示す条件に適合しない場合、および、前記状況が前記交換機側抽出手段によって抽出された前記発信制限情報の示す条件に適合し、且つ前記他の通信端末が前記交換機側抽出手段によって抽出された前記発信可端末情報の示す通信端末である場合には、前記移動通信端末による発信を許可し、
前記状況が前記交換機側抽出手段によって抽出された前記発信制限情報の示す条件に適合し、且つ前記他の通信端末が前記交換機側抽出手段によって抽出された前記発信可端末情報の示す通信端末ではない場合には、前記移動通信端末による発信を拒否することを特徴とする交換機。
【請求項１１】
前記交換機側指示手段は、前記移動通信端末からの位置登録要求に応じて、ホームロケーションレジスタに格納された前記発信制限情報および前記発信可端末情報を取得して前記ビジターロケーションレジスタに格納させることを特徴とする請求項１０に記載の交換機。
【請求項１２】
移動通信端末が接続される移動通信網に含まれるサービス制御局であって、
前記移動通信端末による着信が制限される条件を示す着信制限情報と、前記条件下であっても前記移動通信端末が着信可能な通信端末を示す着信可端末情報とを対応付けて、前記サービス制御局に接続されたホームロケーションレジスタに格納させる制御局側指示手段と、
他の通信端末から前記移動通信端末への発信に応じて、前記ホームロケーションレジスタから前記着信制限情報と前記着信可端末情報とを抽出する制御局側抽出手段と、
前記制御局側抽出手段によって抽出された前記着信制限情報および前記着信可端末情報に基づいて、前記移動通信端末における前記他の通信端末からの着信の可否を判断する制御局側判断手段と、
を備え、
前記制御局側判断手段は、
前記他の通信端末から前記移動通信端末への発信時の状況が前記制御局側抽出手段によって抽出された前記着信制限情報の示す条件に適合しない場合、および、前記状況が前記制御局側抽出手段によって抽出された前記着信制限情報の示す条件に適合し、且つ前記他の通信端末が前記制御局側抽出手段によって抽出された前記着信可端末情報の示す通信端末である場合には、前記移動通信端末による着信を許可し、
前記状況が前記制御局側抽出手段によって抽出された前記着信制限情報の示す条件に適合し、且つ前記他の通信端末が前記制御局側抽出手段によって抽出された前記着信可端末情報の示す通信端末ではない場合には、前記移動通信端末による着信を拒否することを特徴とするサービス制御局。
【請求項１３】
移動通信端末が接続される移動通信網に含まれるサービス制御局であって、
前記移動通信端末による発信が制限される時刻を示す発信制限情報と、前記発信制限情報の示す時刻であっても前記移動通信端末が発信可能な通信端末を示す発信可端末情報とを対応付けてホームロケーションレジスタに格納させる制御局側指示手段と、
前記移動通信端末に接続された交換機に対して、前記発信制限情報に基づいて決定された、前記サービス制御局に指示を仰ぐべき時間帯を示す時間帯リストを送信する制御局側送信手段と、
前記移動通信端末から前記他の通信端末への発信時刻が前記時間帯リストの示す時間帯に含まれると判断した前記交換機からの要求に応じて、前記ホームロケーションレジスタから、前記発信制限情報と前記発信可端末情報とを抽出する制御局側抽出手段と、
前記制御局側抽出手段によって抽出された前記発信制限情報および前記発信可端末情報に基づいて、前記移動通信端末から前記他の通信端末への発信の可否を判断する制御局側判断手段と、
を備え、
前記制御局側判断手段は、
前記発信時刻が前記制御局側抽出手段によって抽出された前記発信制限情報の示す時刻に適合しない場合、および、前記発信時刻が前記制御局側抽出手段によって抽出された前記発信制限情報の示す時刻に適合し、且つ前記他の通信端末が前記制御局側抽出手段によって抽出された前記発信可端末情報の示す通信端末である場合には、前記移動通信端末による発信を許可し、
前記発信時刻が前記制御局側抽出手段によって抽出された前記発信制限情報の示す時刻に適合し、且つ前記他の通信端末が前記制御局側抽出手段によって抽出された前記発信可端末情報の示す通信端末ではない場合には、前記移動通信端末による発信を拒否することを特徴とするサービス制御局。
【請求項１４】
前記制御局側送信手段は、前記移動通信端末からの位置登録要求に応じて、前記時間帯リストを前記交換機に送信することを特徴とする請求項１３に記載のサービス制御局。
【請求項１５】
移動通信端末が接続される移動通信網に含まれるサービス制御局であって、
前記移動通信端末による着信が制限される時刻を示す着信制限情報と、前記着信制限情報の示す時刻であっても前記移動通信端末が着信可能な通信端末を示す着信可端末情報とを対応付けて、ホームロケーションレジスタに格納させる制御局側指示手段と、
他の通信端末に接続された交換機に対して、前記着信制限情報に基づいて決定された、前記サービス制御局に指示を仰ぐべき時間帯を示す時間帯リストを送信する制御局側送信手段と、
前記他の通信端末から前記移動通信端末への発信時刻が前記時間帯リストの示す時間帯に含まれると判断した前記交換機からの要求に応じて、前記ホームロケーションレジスタから前記着信制限情報と前記着信可端末情報とを抽出する制御局側抽出手段と、
前記制御局側抽出手段によって抽出された前記着信制限情報および前記着信可端末情報に基づいて、前記移動通信端末における前記他の通信端末からの着信の可否を判断する制御局側判断手段と、
を備え、
前記制御局側判断手段は、
前記制御局側判断手段は、前記発信時刻が前記制御局側抽出手段によって抽出された前記発信制限情報の示す時刻に適合しない場合、および、前記発信時刻が前記制御局側抽出手段によって抽出された前記発信制限情報の示す時刻に適合し、且つ前記他の通信端末が前記制御局側抽出手段によって抽出された前記発信可端末情報の示す通信端末である場合には、前記移動通信端末による着信を許可し、
前記発信時刻が前記制御局側抽出手段によって抽出された前記発信制限情報の示す時刻に適合し、且つ前記他の通信端末が前記制御局側抽出手段によって抽出された前記発信可端末情報の示す通信端末ではない場合には、前記移動通信端末による着信を拒否することを特徴とするサービス制御局。
【請求項１６】
移動通信端末が接続される移動通信網に含まれる通信制御システムを用いた通信制御方法であって、
前記移動通信端末による発信が制限される条件を示す発信制限情報と、前記条件下であっても前記移動通信端末が発信可能な通信端末を示す発信可端末情報とを対応付けて格納手段に格納させる指示ステップと、
前記移動通信端末から他の通信端末への発信に応じて、前記格納手段から前記発信制限情報と前記発信可端末情報とを抽出する抽出ステップと、
前記抽出ステップにて抽出された前記発信制限情報および前記発信可端末情報に基づいて、前記移動通信端末から前記他の通信端末への発信の可否を判断する判断ステップと、
を有し、
前記判断ステップでは、
前記移動通信端末から前記他の通信端末への発信時の状況が前記抽出ステップにて抽出された前記発信制限情報の示す条件に適合しない場合、および、前記状況が前記抽出ステップにて抽出された前記発信制限情報の示す条件に適合し、且つ前記他の通信端末が前記抽出ステップにて抽出された前記発信可端末情報の示す通信端末である場合には、前記移動通信端末による発信を許可し、
前記状況が前記抽出ステップにて抽出された前記発信制限情報の示す条件に適合し、且つ前記他の通信端末が前記抽出ステップにて抽出された前記発信可端末情報の示す通信端末ではない場合には、前記移動通信端末による発信を拒否することを特徴とする通信制御方法。
【請求項１７】
移動通信端末が接続される移動通信網に含まれる交換機を用いた通信制御方法であって、
前記移動通信端末による発信が制限される条件を示す発信制限情報と、前記条件下であっても前記移動通信端末が発信可能な通信端末を示す発信可端末情報とを対応付けて前記交換機に接続されたビジターロケーションレジスタに格納させる指示ステップと、
前記移動通信端末から他の通信端末への発信に応じて、前記ビジターロケーションレジスタから前記着信制限情報と前記発信可端末情報とを抽出する抽出ステップと、
前記抽出ステップにて抽出された前記発信制限情報および前記発信可端末情報に基づいて、前記移動通信端末から前記他の通信端末への発信の可否を判断する判断ステップと、
を有し、
前記判断ステップでは、
前記移動通信端末から前記他の通信端末への発信時の状況が前記抽出ステップにて抽出された前記発信制限情報の示す条件に適合しない場合、および、前記状況が前記抽出ステップにて抽出された前記発信制限情報の示す条件に適合し、且つ前記他の通信端末が前記抽出ステップにて抽出された前記発信可端末情報の示す通信端末である場合には、前記移動通信端末による発信を許可し、
前記状況が前記抽出ステップにて抽出された前記発信制限情報の示す条件に適合し、且つ前記他の通信端末が前記抽出ステップにて抽出された前記発信可端末情報の示す通信端末ではない場合には、前記移動通信端末による発信を拒否することを特徴とする通信制御方法。
【請求項１８】
前記指示ステップでは、前記移動通信端末からの位置登録要求に応じて、ホームロケーションレジスタに格納された前記制限情報および前記発信可端末情報を取得して前記ビジターロケーションレジスタに格納させることを特徴とする請求項１７に記載の通信制御方法。
【請求項１９】
移動通信端末が接続される移動通信網に含まれる通信制御システムを用いた通信制御方法であって、
前記移動通信端末による着信が制限される条件を示す着信制限情報と、前記条件下であっても前記移動通信端末が着信可能な通信端末を示す着信可端末情報とを対応付けて格納手段に格納させる指示ステップと、
他の通信端末から前記移動通信端末への発信に応じて、前記格納手段から前記着信制限情報と前記着信可端末情報とを抽出する抽出ステップと、
前記抽出ステップにて抽出された前記着信制限情報および前記着信可端末情報に基づいて、前記移動通信端末における前記他の通信端末からの着信の可否を判断する判断ステップと、
を有し、
前記判断ステップでは、
前記他の通信端末から前記移動通信端末への発信時の状況が前記抽出ステップにて抽出された前記着信制限情報の示す条件に適合しない場合、および、前記状況が前記抽出ステップにて抽出された前記着信制限情報の示す条件に適合し、且つ前記他の通信端末が前記抽出ステップにて抽出された前記着信可端末情報の示す通信端末である場合には、前記移動通信端末による着信を許可し、
前記状況が前記抽出ステップにて抽出された前記着信制限情報の示す条件に適合し、且つ前記他の通信端末が前記抽出ステップにて抽出された前記着信可端末情報の示す通信端末ではない場合には、前記移動通信端末による着信を拒否することを特徴とする通信制御方法。
【請求項２０】
移動通信端末が接続される移動通信網に含まれるサービス制御局を用いた通信制御方法であって、
前記移動通信端末による着信が制限される条件を示す着信制限情報と、前記条件下であっても前記移動通信端末が着信可能な通信端末を示す着信可端末情報とを対応付けて前記サービス制御局に接続されたホームロケーションレジスタに格納させる指示ステップと、
他の通信端末から前記移動通信端末への発信に応じて、前記ホームロケーションレジスタから前記着信制限情報と前記着信可端末情報とを抽出する抽出ステップと、
前記抽出手段ステップにて抽出された前記着信制限情報および前記着信可端末情報に基づいて、前記移動通信端末における前記他の通信端末からの着信の可否を判断する判断ステップと、
を有し、
前記判断ステップでは、
前記他の通信端末から前記移動通信端末への発信時の状況が前記抽出ステップにて抽出された前記着信制限情報の示す条件に適合しない場合、および、前記状況が前記抽出ステップにて抽出された前記着信制限情報の示す条件に適合し、且つ前記他の通信端末が前記抽出ステップにて抽出された前記着信可端末情報の示す通信端末である場合には、前記移動通信端末による着信を許可し、
前記状況が前記抽出ステップにて抽出された前記着信制限情報の示す条件に適合し、且つ前記他の通信端末が前記抽出ステップにて抽出された前記着信可端末情報の示す通信端末ではない場合には、前記移動通信端末による着信を拒否することを特徴とする通信制御方法。
【請求項２１】
移動通信端末が接続される移動通信網に含まれるサービス制御局を用いた通信制御方法であって、
前記移動通信端末による発信が制限される時刻を示す発信制限情報と、前記発信制限情報の示す時刻であっても前記移動通信端末が発信可能な通信端末を示す発信可端末情報とを対応付けてホームロケーションレジスタに格納させる指示ステップと、
前記移動通信端末に接続された交換機に対して、前記発信制限情報に基づいて決定された、前記サービス制御局に指示を仰ぐべき時間帯を示す時間帯リストを送信する送信ステップと、
前記移動通信端末から前記他の通信端末への発信時刻が前記時間帯リストの示す時間帯に含まれると判断した前記交換機からの要求に応じて、前記ホームロケーションレジスタから前記発信制限情報と前記発信可端末情報とを抽出する抽出ステップと、
前記抽出ステップにて抽出された前記制限情報および前記発信可端末情報に基づいて、前記移動通信端末から前記他の通信端末への発信の可否を判断する判断ステップと、を有し、
前記判断ステップでは、
前記発信時刻が前記抽出ステップにて抽出された前記発信制限情報の示す時刻に適合しない場合、および、前記発信時刻が前記抽出ステップにて抽出された前記発信制限情報の示す時刻に適合し、且つ前記他の通信端末が前記抽出ステップにて抽出された前記発信可端末情報の示す通信端末である場合には、前記移動通信端末による発信を許可し、
前記発信時刻が前記抽出ステップにて抽出された前記発信制限情報の示す時刻に適合し、且つ前記他の通信端末が前記抽出ステップにて抽出された前記発信可端末情報の示す通信端末ではない場合には、前記移動通信端末による発信を拒否することを特徴とする通信制御方法。
【請求項２２】
前記送信ステップでは、前記移動通信端末からの位置登録要求に応じて、前記時間帯リストを前記交換機に送信することを特徴とする請求項２１に記載の通信制御方法。
【請求項２３】
移動通信端末が接続される移動通信網に含まれるサービス制御局を用いた通信制御方法であって、
前記移動通信端末による着信が制限される時刻を示す着信制限情報と、前記着信制限情報の示す時刻であっても前記移動通信端末が着信可能な通信端末を示す着信可端末情報とを対応付けてホームロケーションレジスタに格納させる指示ステップと、
他の通信端末に接続された交換機に対して、前記着信制限情報に基づいて決定された、前記サービス制御局に指示を仰ぐべき時間帯を示す時間帯リストを送信する送信ステップと、
前記他の通信端末から前記移動通信端末への発信時刻が前記時間帯リストの示す時間帯に含まれると判断した前記交換機からの要求に応じて、前記ホームロケーションレジスタから前記着信制限情報と前記着信可端末情報とを抽出する抽出ステップと、
前記抽出手段ステップにて抽出された前記着信制限情報および前記着信可端末情報に基づいて、前記移動通信端末における前記他の通信端末からの着信の可否を判断する判断ステップと、
を有し、
前記判断ステップでは、
前記発信時刻が前記抽出ステップにて抽出された前記発信制限情報の示す時刻に適合しない場合、および、前記発信時刻が前記抽出ステップにて抽出された前記発信制限情報の示す時刻に適合し、且つ前記他の通信端末が前記抽出ステップにて抽出された前記発信可端末情報の示す通信端末である場合には、前記移動通信端末による着信を許可し、
前記発信時刻が前記抽出ステップにて抽出された前記発信制限情報の示す時刻に適合し、且つ前記他の通信端末が前記抽出ステップにて抽出された前記発信可端末情報の示す通信端末ではない場合には、前記移動通信端末による着信を拒否することを特徴とする通信制御方法。
【発明の詳細な説明】
【技術分野】
【０００１】
本発明は、移動通信端末が接続される移動通信網に含まれる通信制御システム、交換機、サービス制御局、およびこれらを用いた通信制御方法に関するものである。
【背景技術】
【０００２】
従来、このような分野の技術として、特開平０９−２３３２２３号公報がある。この公報に記載された通信端末では、自端末利用者のスケジュールと特定の通信端末の識別番号とをあらかじめ記憶しており、他の通信端末から着信要求を受けると、現在の日時に対応するスケジュールが存在するか否かを判断し、存在する場合には他の端末の識別番号が事前登録されているか否かを更に判断し、事前登録されている場合は着信を許可する。
【特許文献１】特開平０９−２３３２２３号公報
【発明の開示】
【発明が解決しようとする課題】
【０００３】
前述した従来の通信端末は、通信が制限されている状態であっても、特定の端末については着信可能となっている。しかしながら、前述した従来の通信端末では、次のような課題が存在している。すなわち、通信端末側に上記処理を実行させるには、通信端末自体に設計変更を施さなくてはならない。よって、既に販売されている通信端末に上記処理を実行させるのは困難であり、たとえ部品を後付け実装することで上記処理を行うことができたとしても、コストがかかってしまう。
【０００４】
本発明は、移動通信端末側に特別な工夫をせずとも、移動通信端末による通信を制限し、且つ、特定端末とは通信可能にする通信制御システム、交換機、サービス制御局、および通信制御方法を提供することを目的とする。
【課題を解決するための手段】
【０００５】
本発明は、移動通信端末が接続される移動通信網に含まれる通信制御システムであって、移動通信端末による発信が制限される条件を示す発信制限情報と、条件下であっても移動通信端末が発信可能な通信端末を示す発信可端末情報とが対応付けられて格納された格納手段と、移動通信端末から他の通信端末への発信に応じて、格納手段から発信制限情報と発信可端末情報とを抽出する抽出手段と、抽出手段によって抽出された発信制限情報および発信可端末情報に基づいて、移動通信端末から他の通信端末への発信の可否を判断する判断手段と、を備え、判断手段は、移動通信端末から他の通信端末への発信時の状況が抽出手段によって抽出された発信制限情報の示す条件に適合しない場合、および、状況が抽出手段によって抽出された発信制限情報の示す条件に適合し、且つ他の通信端末が抽出手段によって抽出された発信可端末情報の示す通信端末である場合には、移動通信端末による発信を許可し、状況が抽出手段によって抽出された発信制限情報の示す条件に適合し、且つ他の通信端末が抽出手段によって抽出された発信可端末情報の示す通信端末ではない場合には、移動通信端末による発信を拒否することを特徴とする。
【０００６】
この通信制御システムは移動通信網に含まれており、移動通信端末から他の通信端末への発信に応じて、移動通信端末の発信時の状況が発信制限情報の示す条件を満たすか否かを判断する。条件を満たさない場合、すなわち移動通信端末による発信が制限されない場合には、移動通信端末から他の通信端末への発信を許可する。条件を満たす場合でも、他の通信端末が発信可端末情報に示される通信端末であれば、例外的に発信を許可する。このように本発明の通信制御システムによれば、移動通信端末は、発信制限されている状態であっても特定端末に対しては発信が可能となる。しかも、これにかかる制御は通信制御システム側で行うため、移動通信端末に特別な機能を持たせる必要がなくなる。
【０００７】
また、交換機と、交換機に接続されたビジターロケーションレジスタとを備え、抽出手段および判断手段は移動通信端末に接続された交換機に設けられ、格納手段はビジターロケーションレジスタであると好適である。
【０００８】
この場合、交換機及びビジターロケーションレジスタにより、発信先を制限することが可能になる。
【０００９】
また、交換機に接続されたサービス制御局と、サービス制御局に接続されたホームロケーションレジスタとを備え、発信制限情報および発信可端末情報はホームロケーションレジスタに格納されており、サービス制御局には、移動通信端末からの位置登録要求に応じて、ホームロケーションレジスタから発信制限情報および発信可端末情報を抽出する制御局側抽出手段が設けられ、格納手段は、制御局側抽出手段によって抽出された発信制限情報および発信可端末情報を格納すると好適である。
【００１０】
この場合、位置登録要求のタイミングで、発信制限情報および発信可端末情報を格納手段に格納させることができる。
【００１１】
また、移動通信端末に接続された交換機と、交換機に接続されたビジターロケーションレジスタと、交換機に接続されたサービス制御局と、サービス制御局に接続されたホームロケーションレジスタと、を備え、抽出手段および判断手段はサービス制御局に設けられ、格納手段はホームロケーションレジスタであり、発信制限情報は、移動通信端末による発信が制限される時刻を示し、ビジターロケーションレジスタには、発信制限情報に基づいて決定された、サービス制御局に指示を仰ぐべき時間帯を示す時間帯リストが格納され、交換機には、移動通信端末から他の通信端末への発信に応じて、ビジターロケーションレジスタから時間帯リストを抽出する交換機側抽出手段と、移動通信端末から他の通信端末への発信時刻が交換機側抽出手段によって抽出された時間帯リストの示す時間帯に含まれるか否かを判断し、含まれないと判断した場合には移動通信端末による発信を許可する交換機側判断手段と、交換機側判断手段によって時間帯リストの示す時間帯に含まれると判断された場合には、サービス制御局に指示要求を送信する交換機側送信手段と、が設けられ、サービス制御局では、抽出手段が、交換機からの要求に応じて、ホームロケーションレジスタから発信制限情報と発信可端末情報とを抽出し、判断手段が、発信時刻が抽出手段によって抽出された発信制限情報の示す時刻に適合しない場合、および、発信時刻が抽出手段によって抽出された発信制限情報の示す時刻に適合し、且つ他の通信端末が抽出手段によって抽出された発信可端末情報の示す通信端末である場合には、移動通信端末による発信を許可し、発信時刻が抽出手段によって抽出された発信制限情報の示す時刻に適合し、且つ他の通信端末が抽出手段によって抽出された発信可端末情報の示す通信端末ではない場合には、移動通信端末による発信を拒否すると好適である。
【００１２】
このような構成を採用した場合、ビジターロケーションレジスタは発信制限情報及び発信可端末情報を格納する必要がなくなるため、ビジターロケーションレジスタの負荷を軽減することができる。また、判断手段は交換機ではなくサービス制御局に設けられるので、交換機の負荷を軽減することができる。
【００１３】
また、サービス制御局には、移動通信端末からの位置登録要求に応じて、交換機に時間帯リストを送信する制御局側送信手段が設けられ、ビジターロケーションレジスタは、制御局側送信手段によって送信された時間帯リストを格納すると好適である。
【００１４】
この場合、位置登録要求のタイミングで、時間帯リストをビジターロケーションレジスタに格納させることができる。
【００１５】
また、本発明は、移動通信端末が接続される移動通信網に含まれる通信制御システムであって、移動通信端末による着信が制限される条件を示す着信制限情報と、条件下であっても移動通信端末が着信可能な通信端末を示す着信可端末情報とが対応付けられて格納された格納手段と、他の通信端末から移動通信端末への発信に応じて、格納手段から着信制限情報と着信可端末情報とを抽出する抽出手段と、抽出手段によって抽出された着信制限情報および着信可端末情報に基づいて、移動通信端末における他の通信端末からの着信の可否を判断する判断手段と、を備え、判断手段は、他の通信端末から移動通信端末への発信時の状況が抽出手段によって抽出された着信制限情報の示す条件に適合しない場合、および、状況が抽出手段によって抽出された着信制限情報の示す条件に適合し、且つ他の通信端末が抽出手段によって抽出された着信可端末情報の示す通信端末である場合には、移動通信端末による着信を許可し、状況が抽出手段によって抽出された着信制限情報の示す条件に適合し、且つ他の通信端末が抽出手段によって抽出された着信可端末情報の示す通信端末ではない場合には、移動通信端末による着信を拒否することを特徴とする。
【００１６】
この通信制御システムは移動通信網に含まれており、他の通信端末から移動通信端末への発信に応じて、他の通信端末の発信時の状況が着信制限の条件を満たすか否かを判断する。条件を満たさない場合、すなわち移動通信端末による着信が制限されない場合には、移動通信端末による着信を許可する。条件を満たす場合でも、他の通信端末が着信可端末情報に示される通信端末であれば、例外的に着信を許可する。このように、本発明の通信制御システムによれば、移動通信端末は、着信制限されている状態であっても特定端末については着信が可能となる。しかも、これにかかる制御は通信制御システム側で行うため、移動通信端末に特別な機能を持たせる必要がなくなる。
【００１７】
また、格納手段には、移動通信端末に代わって着信する通信端末を示す転送先情報と、転送先情報の示す通信端末が着信可能な通信端末を示す転送可端末情報と、が格納され、抽出手段は、他の通信端末から移動通信端末への発信に応じて、格納手段から転送可端末情報を更に抽出し、判断手段は、他の通信端末が抽出手段によって抽出された着信可端末情報の示す通信端末ではない場合であっても、他の通信端末が抽出手段によって抽出された転送可端末情報の示す通信端末である場合には、着信先を移動通信端末から転送先情報が示す通信端末に変更すると好適である。
【００１８】
このような構成を採用した場合、他の通信端末から移動通信端末に発信があったときには、着信先を通信端末に変更することができる。
【００１９】
また、サービス制御局と、サービス制御局に接続されたホームロケーションレジスタとを備え、抽出手段および判断手段はサービス制御局に設けられ、格納手段はホームロケーションレジスタであると好適である。
【００２０】
この場合、サービス制御局及びホームロケーションレジスタにより、着信を制限することが可能になる。
【００２１】
また、サービス制御局と、サービス制御局に接続されたホームロケーションレジスタとを備え、抽出手段および判断手段はサービス制御局に設けられ、格納手段はホームロケーションレジスタであり、着信制限情報は、移動通信端末による着信が制限される時刻を示し、サービス制御局には、他の通信端末が接続された交換機に対して、着信制限情報に基づいて決定された、サービス制御局に指示を仰ぐべき時間帯を示す時間帯リストを送信する制御局側送信手段が設けられ、サービス制御局の抽出手段は、他の通信端末から移動通信端末への発信時刻が時間帯リストの示す時間帯に含まれると判断した交換機からの要求に応じて、ホームロケーションレジスタから着信制限情報と着信可端末情報とを抽出し、サービス制御局の判断手段は、発信時刻が抽出手段によって抽出された着信制限情報の示す時刻に適合しない場合、および、発信時刻が抽出手段によって抽出された着信制限情報の示す時刻に適合し、且つ他の通信端末が抽出手段によって抽出された着信可端末情報の示す通信端末である場合には、移動通信端末による着信を許可し、発信時刻が抽出手段によって抽出された着信制限情報の示す時刻に適合し、且つ他の通信端末が抽出手段によって抽出された着信可端末情報の示す通信端末ではない場合には、移動通信端末による着信を拒否すると好適である。
【００２２】
サービス制御局において抽出手段及び判断手段が動作するのは、交換機から指示要求が出された場合であり、それ以外の場合には動作する必要がなくなる。よって、サービス制御局の負荷を軽減することができる。
【００２３】
本発明は、移動通信端末が接続される移動通信網に含まれる交換機であって、移動通信端末による発信が制限される条件を示す発信制限情報と、条件下であっても移動通信端末が発信可能な通信端末を示す発信可端末情報とを対応付けて交換機に接続されたビジターロケーションレジスタに格納させる交換機側指示手段と、移動通信端末から他の通信端末への発信に応じて、ビジターロケーションレジスタから着信制限情報と発信可端末情報とを抽出する交換機側抽出手段と、交換機側抽出手段によって抽出された発信制限情報および発信可端末情報に基づいて、移動通信端末から他の通信端末への発信の可否を判断する交換機側判断手段と、を備え、交換機側判断手段は、移動通信端末から他の通信端末への発信時の状況が交換機側抽出手段によって抽出された発信制限情報の示す条件に適合しない場合、および、状況が交換機側抽出手段によって抽出された発信制限情報の示す条件に適合し、且つ他の通信端末が交換機側抽出手段によって抽出された発信可端末情報の示す通信端末である場合には、移動通信端末による発信を許可し、状況が交換機側抽出手段によって抽出された発信制限情報の示す条件に適合し、且つ他の通信端末が交換機側抽出手段によって抽出された発信可端末情報の示す通信端末ではない場合には、移動通信端末による発信を拒否することを特徴とする。
【００２４】
この交換機は移動通信網に含まれており、移動通信端末から他の通信端末への発信に応じて、移動通信端末の発信時の状況が発信制限の条件を満たすか否かを判断する。条件を満たさない場合には移動通信端末から他の通信端末への発信を許可し、条件を満たす場合でも、他の通信端末が発信可端末情報に示される通信端末であれば例外的に発信を許可する。このように、本発明の交換機によれば、移動通信端末側に特別な機能を持たせずとも、移動通信端末の発信を制御することができる。
【００２５】
また、交換機側指示手段は、移動通信端末からの位置登録要求に応じて、ホームロケーションレジスタに格納された発信制限情報および発信可端末情報を取得してビジターロケーションレジスタに格納させると好適である。
【００２６】
この場合、位置登録要求のタイミングで、発信制限情報および発信可端末情報をビジターロケーションレジスタに格納させることができる。
【００２７】
本発明は、移動通信端末が接続される移動通信網に含まれるサービス制御局であって、移動通信端末による着信が制限される条件を示す着信制限情報と、条件下であっても移動通信端末が着信可能な通信端末を示す着信可端末情報とを対応付けて、サービス制御局に接続されたホームロケーションレジスタに格納させる制御局側指示手段と、他の通信端末から移動通信端末への発信に応じて、ホームロケーションレジスタから着信制限情報と着信可端末情報とを抽出する制御局側抽出手段と、制御局側抽出手段によって抽出された着信制限情報および着信可端末情報に基づいて、移動通信端末における他の通信端末からの着信の可否を判断する制御局側判断手段と、を備え、制御局側判断手段は、他の通信端末から移動通信端末への発信時の状況が制御局側抽出手段によって抽出された着信制限情報の示す条件に適合しない場合、および、状況が制御局側抽出手段によって抽出された着信制限情報の示す条件に適合し、且つ他の通信端末が制御局側抽出手段によって抽出された着信可端末情報の示す通信端末である場合には、移動通信端末による着信を許可し、状況が制御局側抽出手段によって抽出された着信制限情報の示す条件に適合し、且つ他の通信端末が制御局側抽出手段によって抽出された着信可端末情報の示す通信端末ではない場合には、移動通信端末による着信を拒否することを特徴とする。
【００２８】
このサービス制御局は移動通信網に含まれており、他の通信端末から移動通信端末への発信に応じて、他の通信端末の発信時の状況が着信制限の条件を満たすか否かを判断する。条件を満たさない場合には移動通信端末による着信を許可し、条件を満たす場合でも、他の通信端末が着信可端末情報に示される通信端末であれば、例外的に着信を許可する。このように、本発明の通信制御システムによれば、移動通信端末側に特別な機能を持たせずとも、移動通信端末の着信を制限することができる。
【００２９】
本発明は、移動通信端末が接続される移動通信網に含まれるサービス制御局であって、移動通信端末による発信が制限される時刻を示す発信制限情報と、発信制限情報の示す時刻であっても移動通信端末が発信可能な通信端末を示す発信可端末情報とを対応付けてホームロケーションレジスタに格納させる制御局側指示手段と、移動通信端末に接続された交換機に対して、発信制限情報に基づいて決定された、サービス制御局に指示を仰ぐべき時間帯を示す時間帯リストを送信する制御局側送信手段と、移動通信端末から他の通信端末への発信時刻が時間帯リストの示す時間帯に含まれると判断した交換機からの要求に応じて、ホームロケーションレジスタから、発信制限情報と発信可端末情報とを抽出する制御局側抽出手段と、制御局側抽出手段によって抽出された発信制限情報および発信可端末情報に基づいて、移動通信端末から他の通信端末への発信の可否を判断する制御局側判断手段と、を備え、制御局側判断手段は、発信時刻が制御局側抽出手段によって抽出された発信制限情報の示す時刻に適合しない場合、および、発信時刻が制御局側抽出手段によって抽出された発信制限情報の示す時刻に適合し、且つ他の通信端末が制御局側抽出手段によって抽出された発信可端末情報の示す通信端末である場合には、移動通信端末による発信を許可し、発信時刻が制御局側抽出手段によって抽出された発信制限情報の示す時刻に適合し、且つ他の通信端末が制御局側抽出手段によって抽出された発信可端末情報の示す通信端末ではない場合には、移動通信端末による発信を拒否することを特徴とする。
【００３０】
このような構成を採用した場合、制御局側抽出手段及び制御局側判断手段が動作するのは、交換機から指示要求が出された場合であり、それ以外の場合には動作する必要がなくなる。よって、サービス制御局の負荷を軽減することができる。
【００３１】
また、制御局側送信手段は、移動通信端末からの位置登録要求に応じて、時間帯リストを交換機に送信すると好適である。
【００３２】
この場合、位置登録要求のタイミングで、時間帯リストを交換機に送信することができる。
【００３３】
本発明は、移動通信端末が接続される移動通信網に含まれるサービス制御局であって、移動通信端末による着信が制限される時刻を示す着信制限情報と、着信制限情報の示す時刻であっても移動通信端末が着信可能な通信端末を示す着信可端末情報とを対応付けて、ホームロケーションレジスタに格納させる制御局側指示手段と、他の通信端末に接続された交換機に対して、着信制限情報に基づいて決定された、サービス制御局に指示を仰ぐべき時間帯を示す時間帯リストを送信する制御局側送信手段と、他の通信端末から移動通信端末への発信時刻が時間帯リストの示す時間帯に含まれると判断した交換機からの要求に応じて、ホームロケーションレジスタから着信制限情報と着信可端末情報とを抽出する制御局側抽出手段と、制御局側抽出手段によって抽出された着信制限情報および着信可端末情報に基づいて、移動通信端末における他の通信端末からの着信の可否を判断する制御局側判断手段と、を備え、制御局側判断手段は、制御局側判断手段は、発信時刻が制御局側抽出手段によって抽出された発信制限情報の示す時刻に適合しない場合、および、発信時刻が制御局側抽出手段によって抽出された発信制限情報の示す時刻に適合し、且つ他の通信端末が制御局側抽出手段によって抽出された発信可端末情報の示す通信端末である場合には、移動通信端末による着信を許可し、発信時刻が制御局側抽出手段によって抽出された発信制限情報の示す時刻に適合し、且つ他の通信端末が制御局側抽出手段によって抽出された発信可端末情報の示す通信端末ではない場合には、移動通信端末による着信を拒否することを特徴とする。
【００３４】
このような構成を採用した場合、制御局側抽出手段及び制御局側判断手段が動作するのは、交換機から要求があった場合であり、それ以外の場合には動作する必要がなくなる。よって、サービス制御局の負荷を軽減することができる。
【００３５】
ところで、本発明は、上記のように通信制御システム、交換機、およびサービス制御局の発明として記述できる他に、以下のように通信制御方法の発明としても記述することができる。これはカテゴリが異なるだけで、実質的に同一の発明であり、同様の作用及び効果を奏する。
【００３６】
本発明は、移動通信端末が接続される移動通信網に含まれる通信制御システムを用いた通信制御方法であって、移動通信端末による発信が制限される条件を示す発信制限情報と、条件下であっても移動通信端末が発信可能な通信端末を示す発信可端末情報とを対応付けて格納手段に格納させる指示ステップと、移動通信端末から他の通信端末への発信に応じて、格納手段から発信制限情報と発信可端末情報とを抽出する抽出ステップと、抽出ステップにて抽出された発信制限情報および発信可端末情報に基づいて、移動通信端末から他の通信端末への発信の可否を判断する判断ステップと、を有し、判断ステップでは、移動通信端末から他の通信端末への発信時の状況が抽出ステップにて抽出された発信制限情報の示す条件に適合しない場合、および、状況が抽出ステップにて抽出された発信制限情報の示す条件に適合し、且つ他の通信端末が抽出ステップにて抽出された発信可端末情報の示す通信端末である場合には、移動通信端末による発信を許可し、状況が抽出ステップにて抽出された発信制限情報の示す条件に適合し、且つ他の通信端末が抽出ステップにて抽出された発信可端末情報の示す通信端末ではない場合には、移動通信端末による発信を拒否することを特徴とする。
【００３７】
本発明は、移動通信端末が接続される移動通信網に含まれる交換機を用いた通信制御方法であって、移動通信端末による発信が制限される条件を示す発信制限情報と、条件下であっても移動通信端末が発信可能な通信端末を示す発信可端末情報とを対応付けて交換機に接続されたビジターロケーションレジスタに格納させる指示ステップと、移動通信端末から他の通信端末への発信に応じて、ビジターロケーションレジスタから着信制限情報と発信可端末情報とを抽出する抽出ステップと、抽出ステップにて抽出された発信制限情報および発信可端末情報に基づいて、移動通信端末から他の通信端末への発信の可否を判断する判断ステップと、を有し、判断ステップでは、移動通信端末から他の通信端末への発信時の状況が抽出ステップにて抽出された発信制限情報の示す条件に適合しない場合、および、状況が抽出ステップにて抽出された発信制限情報の示す条件に適合し、且つ他の通信端末が抽出ステップにて抽出された発信可端末情報の示す通信端末である場合には、移動通信端末による発信を許可し、状況が抽出ステップにて抽出された発信制限情報の示す条件に適合し、且つ他の通信端末が抽出ステップにて抽出された発信可端末情報の示す通信端末ではない場合には、移動通信端末による発信を拒否することを特徴とする。
【００３８】
また、指示ステップでは、移動通信端末からの位置登録要求に応じて、ホームロケーションレジスタに格納された制限情報および発信可端末情報を取得してビジターロケーションレジスタに格納させると好適である。
【００３９】
本発明は、移動通信端末が接続される移動通信網に含まれる通信制御システムを用いた通信制御方法であって、移動通信端末による着信が制限される条件を示す着信制限情報と、条件下であっても移動通信端末が着信可能な通信端末を示す着信可端末情報とを対応付けて格納手段に格納させる指示ステップと、他の通信端末から移動通信端末への発信に応じて、格納手段から着信制限情報と着信可端末情報とを抽出する抽出ステップと、抽出ステップにて抽出された着信制限情報および着信可端末情報に基づいて、移動通信端末における他の通信端末からの着信の可否を判断する判断ステップと、を有し、判断ステップでは、他の通信端末から移動通信端末への発信時の状況が抽出ステップにて抽出された着信制限情報の示す条件に適合しない場合、および、状況が抽出ステップにて抽出された着信制限情報の示す条件に適合し、且つ他の通信端末が抽出ステップにて抽出された着信可端末情報の示す通信端末である場合には、移動通信端末による着信を許可し、状況が抽出ステップにて抽出された着信制限情報の示す条件に適合し、且つ他の通信端末が抽出ステップにて抽出された着信可端末情報の示す通信端末ではない場合には、移動通信端末による着信を拒否することを特徴とする。
【００４０】
本発明は、移動通信端末が接続される移動通信網に含まれるサービス制御局を用いた通信制御方法であって、移動通信端末による着信が制限される条件を示す着信制限情報と、条件下であっても移動通信端末が着信可能な通信端末を示す着信可端末情報とを対応付けてサービス制御局に接続されたホームロケーションレジスタに格納させる指示ステップと、他の通信端末から移動通信端末への発信に応じて、ホームロケーションレジスタから着信制限情報と着信可端末情報とを抽出する抽出ステップと、抽出手段ステップにて抽出された着信制限情報および着信可端末情報に基づいて、移動通信端末における他の通信端末からの着信の可否を判断する判断ステップと、を有し、判断ステップでは、他の通信端末から移動通信端末への発信時の状況が抽出ステップにて抽出された着信制限情報の示す条件に適合しない場合、および、状況が抽出ステップにて抽出された着信制限情報の示す条件に適合し、且つ他の通信端末が抽出ステップにて抽出された着信可端末情報の示す通信端末である場合には、移動通信端末による着信を許可し、状況が抽出ステップにて抽出された着信制限情報の示す条件に適合し、且つ他の通信端末が抽出ステップにて抽出された着信可端末情報の示す通信端末ではない場合には、移動通信端末による着信を拒否することを特徴とする。
【００４１】
本発明は、移動通信端末が接続される移動通信網に含まれるサービス制御局を用いた通信制御方法であって、移動通信端末による発信が制限される時刻を示す発信制限情報と、発信制限情報の示す時刻であっても移動通信端末が発信可能な通信端末を示す発信可端末情報とを対応付けてホームロケーションレジスタに格納させる指示ステップと、移動通信端末に接続された交換機に対して、発信制限情報に基づいて決定された、サービス制御局に指示を仰ぐべき時間帯を示す時間帯リストを送信する送信ステップと、移動通信端末から他の通信端末への発信時刻が時間帯リストの示す時間帯に含まれると判断した交換機からの要求に応じて、ホームロケーションレジスタから発信制限情報と発信可端末情報とを抽出する抽出ステップと、抽出ステップにて抽出された制限情報および発信可端末情報に基づいて、移動通信端末から他の通信端末への発信の可否を判断する判断ステップと、を有し、判断ステップでは、発信時刻が抽出ステップにて抽出された発信制限情報の示す時刻に適合しない場合、および、発信時刻が抽出ステップにて抽出された発信制限情報の示す時刻に適合し、且つ他の通信端末が抽出ステップにて抽出された発信可端末情報の示す通信端末である場合には、移動通信端末による発信を許可し、発信時刻が抽出ステップにて抽出された発信制限情報の示す時刻に適合し、且つ他の通信端末が抽出ステップにて抽出された発信可端末情報の示す通信端末ではない場合には、移動通信端末による発信を拒否することを特徴とする。
【００４２】
また、送信ステップでは、移動通信端末からの位置登録要求に応じて、時間帯リストを交換機に送信すると好適である。
【００４３】
本発明は、移動通信端末が接続される移動通信網に含まれるサービス制御局を用いた通信制御方法であって、移動通信端末による着信が制限される時刻を示す着信制限情報と、着信制限情報の示す時刻であっても移動通信端末が着信可能な通信端末を示す着信可端末情報とを対応付けてホームロケーションレジスタに格納させる指示ステップと、他の通信端末に接続された交換機に対して、着信制限情報に基づいて決定された、サービス制御局に指示を仰ぐべき時間帯を示す時間帯リストを送信する送信ステップと、他の通信端末から移動通信端末への発信時刻が時間帯リストの示す時間帯に含まれると判断した交換機からの要求に応じて、ホームロケーションレジスタから着信制限情報と着信可端末情報とを抽出する抽出ステップと、抽出手段ステップにて抽出された着信制限情報および着信可端末情報に基づいて、移動通信端末における他の通信端末からの着信の可否を判断する判断ステップと、を有し、判断ステップでは、発信時刻が抽出ステップにて抽出された発信制限情報の示す時刻に適合しない場合、および、発信時刻が抽出ステップにて抽出された発信制限情報の示す時刻に適合し、且つ他の通信端末が抽出ステップにて抽出された発信可端末情報の示す通信端末である場合には、移動通信端末による着信を許可し、発信時刻が抽出ステップにて抽出された発信制限情報の示す時刻に適合し、且つ他の通信端末が抽出ステップにて抽出された発信可端末情報の示す通信端末ではない場合には、移動通信端末による着信を拒否することを特徴とする。
【発明の効果】
【００４４】
本発明によれば、移動通信端末側に特別な工夫をせずとも、移動通信端末による通信を制限し、且つ、特定端末とは通信可能にすることができる。
【発明を実施するための最良の形態】
【００４５】
以下、図面を参照しつつ本発明に係る通信制御システム、交換機、サービス制御局、および通信制御方法の好適な実施形態について詳細に説明する。
【００４６】
（第１実施形態）
図１に、本発明の第１実施形態に係る通信制御システムＣＣ１の構成を示す。通信制御システムＣＣ１は、移動通信網に含まれており、基地局ＢＳ１を介して移動通信端末ＭＢ１と接続されている。また、通信制御システムＣＣ１は、基地局ＢＳ２を介して移動通信端末ＭＢ２（他の通信端末）とも接続されている。移動通信端末ＭＢ１，ＭＢ２は、例えば携帯電話である。本発明の理解を容易にするため、本実施形態では、移動通信端末ＭＢ１と移動通信端末ＭＢ２との間で発着信が行われるものとする。
【００４７】
通信制御システムＣＣ１は、２つの交換機ＭＭ１，ＭＭ２と、２つのビジターロケーションレジスタ（格納手段、以下、ＶＬＲと呼ぶ）１０，３０と、サービス制御局ＳＣ１と、ホームロケーションレジスタ（格納手段、以下、ＨＬＲと呼ぶ）２０と、を備えている。
【００４８】
交換機ＭＭ１は、基地局ＢＳ１と、ＶＬＲ１０と、サービス制御局ＳＣ１とに接続されている。交換機ＭＭ１は、受信部１１と、送信部１２と、制御部１３とを有している。受信部１１は、基地局ＢＳ１やサービス制御局ＳＣ１から種々の情報を受信して、制御部１３に出力する。送信部１２は、制御部１３からの指示に応じて、基地局ＢＳ１やサービス制御局ＳＣ１に種々の情報を送信する。
【００４９】
制御部１３は、抽出部（抽出手段、交換機側抽出手段）１４、判断部（判断手段、交換機側判断手段）１５、計測部１６、及び指示部（交換機側指示手段）１７を含んでいる。
【００５０】
抽出部１４は、ＶＬＲ１０から移動通信端末ＭＢ１の加入者データを抽出する部分である。図２は、ＶＬＲ１０に格納された移動通信端末ＭＢ１の加入者データを示す図である。加入者データは、移動通信端末ＭＢ１の加入者番号に対応付けられた情報であって、制限時刻情報（発信制限情報、着信制限情報）と、許可番号情報（発信可端末情報、着信可端末情報）と、通信種類情報とを含んでいる。制限時刻情報は、移動通信端末ＭＢ１において発着信が制限される時刻（条件）を示す。許可番号情報は、制限時刻情報が示す時刻であっても、移動通信端末ＭＢ１と通信可能な通信端末を示す。通信種類情報は、許可番号情報が示す通信端末との通信種類を示す。例えば、通信種類情報が「発信」である場合、制限時刻情報が示す時刻であっても、移動通信端末ＭＢ１は許可番号情報が示す通信端末に発信可能である。通信種類情報が「着信」である場合、制限時刻情報が示す時刻であっても、移動通信端末ＭＢ１は許可番号情報が示す通信端末から着信可能である。通信種類情報が「発信・着信」である場合、制限時刻情報が示す時刻であっても、移動通信端末ＭＢ１は許可番号情報が示す通信端末との間で発信及び着信が可能である。
【００５１】
図２を用いてより詳細に説明すると、移動通信端末ＭＢ１の加入者番号「090−1234−5678」には、制限時刻情報「祝日除く月〜金08：15−12：00」と、許可番号情報「03−0000−1111」と、発信種類情報「発信・着信」とを含む加入者データが対応付けられている。これは、移動通信端末ＭＢ１は、「祝日除く月〜金08：15−12：00」に発着信が制限されるが、この間、電話番号「03−0000−1111」を有する通信端末とは発信・着信ともに可能であることを示している。そのほか、移動通信端末ＭＢ１の加入者番号「090−1234−5678」には、制限時刻情報「祝日除く月〜金08：15−12：00」と、許可番号情報「090−1111−2222」と、発信種類情報「発信」とを含む加入者データが対応付けられているが、これは、移動通信端末ＭＢ１は、「祝日除く月〜金08：15−12：00」の間、電話番号「090−1234−5678」を有する通信端末に対して発信が可能であることを示している。
【００５２】
抽出部１４は、指示部１７から移動通信端末ＭＢ１の電話番号の情報を受け取ると、ＶＬＲ１０から移動通信端末ＭＢ１の加入者データを抽出する。そして、これを判断部１５に出力する。
【００５３】
判断部１５は、移動通信端末ＭＢ１から移動通信端末ＭＢ２への発信の可否を判断する部分である。より具体的には、判断部１５は、抽出部１４から移動通信端末ＭＢ１の加入者データを受け取ると共に、移動通信端末ＭＢ１から移動通信端末ＭＢ２への発信時刻を示す情報を、計測部１６から受け取る。判断部１５は、移動通信端末ＭＢ１の加入者データに含まれる制限時刻情報をもとに、移動通信端末ＭＢ１の発信時の時刻（発信時の状況）が、発着信が制限される時刻にあてはまる（適合する）か否かを判断する。
【００５４】
移動通信端末ＭＢ１の発信時刻が、発着信が制限される時刻にあてはまらない場合には、判断部１５は、発信を許可する旨を指示部１７に通知する。移動通信端末ＭＢ１の発信時刻が、発着信が制限される時刻にあてはまる場合には、移動通信端末ＭＢ１の加入者データに含まれ、且つ発着信が制限される時刻に対応する許可番号情報と通信種類情報とを参照する。そして、移動通信端末ＭＢ２に発信可能であるか否かを判断する。判断部１５は、移動通信端末ＭＢ２に発信可能な場合には、発信を許可する旨を指示部１７に通知し、発信不可能な場合には、発信を拒否する旨を指示部１７に通知する。
【００５５】
指示部１７は、種々の指示を行う部分である。
【００５６】
指示部１７は、移動通信端末ＭＢ２への発信要求を発信部１１が移動通信端末ＭＢ１から受信すると、移動通信端末ＭＢ１の電話番号の情報を抽出部１４に出力し、移動通信端末ＭＢ２の電話番号の情報を判断部１５に出力する。
【００５７】
また指示部１７は、判断部１５が、移動通信端末ＭＢ１による移動通信端末ＭＢ２への発信を許可すると、移動通信端末ＭＢ２の在圏を確認するための在圏確認要求をサービス制御局ＳＣ１へ送信するよう、送信部１２に指示する。また指示部１７は、判断部１５が、移動通信端末ＭＢ１による移動通信端末ＭＢ２への発信を拒否すると、発信拒否の通知を移動通信端末ＭＢ１へ送信するよう、送信部１２に指示する。
【００５８】
また指示部１７は、発信部１１が、移動通信端末ＭＢ１から位置登録要求を受信すると、この位置登録要求をサービス制御局ＳＣ１に送信するよう送信部１２に指示すると共に、位置登録応答を移動通信端末ＭＢ１に送信するよう送信部１２に指示する。
【００５９】
また指示部１７は、受信部１１がサービス制御局ＳＣ１から移動通信端末ＭＢ１の加入者データを受信すると、これをＶＬＲ１０に格納させる。
【００６０】
また指示部１７は、受信部１１が、移動通信端末ＭＢ２の在圏を確認した旨を示す在圏確認応答をサービス制御局ＳＣ１から受信すると、移動通信端末ＭＢ２との接続を要求する接続要求をサービス制御局ＳＣ１へ送信するよう送信部１２に指示する。また指示部１７は、受信部１１が、移動通信端末ＭＢ１の在圏を確認するための在圏確認要求をサービス制御局ＳＣ１から受信すると、移動通信端末ＭＢ１の在圏を確認した旨を示す在圏確認応答をサービス制御局ＳＣ１へ送信するよう、送信部１２に指示する。この在圏確認応答を受信したサービス制御局ＳＣ１から、移動通信端末ＭＢ１との接続を要求する接続要求を受信部１１が受信すると、着信通知を移動通信端末ＭＢ１に送信するよう、送信部１２に指示する。
【００６１】
交換機ＭＭ２は、基地局ＢＳ２と、ＶＬＲ３０と、サービス制御局ＳＣ１とに接続されている。交換機ＭＭ２及びＶＬＲ３０は、交換機ＭＭ１及びＶＬＲ１０と同様の構成を有しているため、説明を省略する。
【００６２】
サービス制御局ＳＣ１は、交換機ＭＭ１，ＭＭ２とＨＬＲ２０とに接続されている。サービス制御局ＳＣ１は、受信部２１と、送信部２２と、制御部２３とを有している。受信部２１は、交換機ＭＭ１，ＭＭ２から種々の情報を受信して、制御部２３に出力する。送信部２２は制御部１３からの指示に応じて、交換機ＭＭ１，ＭＭ２に種々の情報を送信する。
【００６３】
制御部２３は、抽出部（抽出手段、制御局側抽出手段）２４、判断部（判断手段、制御局側判断手段）２５、計測部２６、及び指示部（交換機側指示手段）２７を含んでいる。
【００６４】
抽出部２４は、ＨＬＲ２０から移動通信端末ＭＢ１の加入者データを抽出する部分である。ＨＬＲ２０に格納された移動通信端末ＭＢ１の加入者データは、ＶＬＲ１０に格納された加入者データと同一である。抽出部２４は、指示部２７から移動通信端末ＭＢ１の電話番号の情報を受け取ると、ＨＬＲ２０から移動通信端末ＭＢ１の加入者データを抽出する。そして、これを判断部２５に出力する。
【００６５】
判断部２５は、移動通信端末ＭＢ１における移動通信端末ＭＢ２からの着信の可否を判断する部分である。より具体的には、判断部２５は、抽出部２４から移動通信端末ＭＢ１の加入者データを受け取ると共に、計測部１６から、移動通信端末ＭＢ２から移動通信端末ＭＢ１への発信時刻を示す情報を受け取る。判断部２５は、移動通信端末ＭＢ１の加入者データに含まれる制限時刻情報をもとに、移動通信端末ＭＢ２の発信時刻（発信時の状況）が、移動通信端末ＭＢ１の発着信が制限される時刻にあてはまる（適合する）か否かを判断する。
【００６６】
移動通信端末ＭＢ２の発信時刻が、発着信が制限される時刻にあてはまらない場合には、判断部２５は、着信を許可する旨を指示部２７に通知する。移動通信端末ＭＢ２の発信時刻が、発着信が制限される時刻にあてはまる場合には、移動通信端末ＭＢ１の加入者データに含まれ、且つ発着信が制限される時刻に対応する許可番号情報と通信種類情報とを参照する。そして、移動通信端末ＭＢ２から着信可能であるか否かを判断する。判断部２５は、移動通信端末ＭＢ２から着信可能な場合には、着信を許可する旨を指示部２７に通知し、着信不可能な場合には、着信を拒否する旨を指示部２７に通知する。
【００６７】
指示部２７は、種々の指示を行う部分である。
【００６８】
指示部２７は、受信部２１が、移動通信端末ＭＢ１の在圏を確認するための在圏確認要求であって、発信元の情報として移動通信端末ＭＢ２の電話番号を含む在圏確認要求を交換機ＭＭ２から受信すると、移動通信端末ＭＢ１の電話番号の情報を抽出部２４に出力し、移動通信端末ＭＢ２の電話番号の情報を判断部２４に出力する。
【００６９】
また指示部２７は、判断部２５が、移動通信端末ＭＢ１における移動通信端末ＭＢ２からの着信を許可すると、移動通信端末ＭＢ１の在圏を確認した旨を示す在圏確認応答を交換機ＭＭ２へ送信するよう、送信部２２に指示する。また指示部２７は、判断部２５が、移動通信端末ＭＢ１における移動通信端末ＭＢ２からの着信を拒否すると、接続拒否を示す接続拒否応答を交換機ＭＭ２へ送信するよう、送信部２２に指示する。
【００７０】
また指示部２７は、受信部２１が、移動通信端末ＭＢ１との接続を要求する接続要求を交換機ＭＭ２から受信すると、この接続要求を交換機ＭＭ１へ送信するよう、送信部２２に指示する。また指示部２７は、受信部２１が、移動通信端末ＭＢ２との接続を要求する接続要求を交換機ＭＭ１から受信すると、この接続要求を交換機ＭＭ２に送信するよう、送信部２２に指示する。
【００７１】
また指示部２７は、受信部２１が、移動通信端末ＭＢ１の電話番号を含む位置登録要求を交換機ＭＭ１から受信すると、ＨＬＲ２０から移動通信端末ＭＢ１の加入者データを抽出するよう、抽出部２３に指示する。指示部２７は、抽出部２３によって移動通信端末ＭＢ１の加入者データが抽出されると、これを交換機ＭＭ１に送信するよう、送信部２２に指示する。
【００７２】
また指示部２７は、受信部２１が、外部から登録情報を受信すると、加入者データを生成するよう、生成部２８に指示する。生成部２８は、登録情報に基づき加入者データを生成する部分である。指示部２７は、生成部２８によって加入者データが生成されると、加入者が属している交換機に加入者データを送信するよう、送信部２２に指示する。
【００７３】
続いて、第１実施形態に係る通信制御システムＣＣ１で実行される処理（通信制御方法）について説明する。ここでは、移動通信端末ＭＢ１は生徒の移動通信端末であり、授業中における移動通信端末ＭＢ１の発信を制御することを想定して説明する。
【００７４】
まず、通信端末ＭＢ１の加入者データの格納処理について説明する。ＶＬＲ１０には、通信端末ＭＢ１による発着信の実行前に、通信端末ＭＢ１の加入者データが既に格納されている。加入者データの格納は、通信制御システムＣＣ１に登録情報が送信されたとき、及び、移動通信端末ＭＢ１が他の交換機の配下から交換機ＭＭ１の配下に移動してきたときに行われる。
【００７５】
通信制御システムＣＣ１に登録情報が送信されたときの処理について、以下、具体的に述べる。図３に示すように、登録情報は、例えば通信端末ＰＣ１から送信される。登録情報は、例えば学級担任により入力される。図４は、入力された登録情報を示す図である。図４（ａ），（ｂ）に示すように、学級担任は、制限時刻情報として、授業が行われる時間帯を通信端末ＰＣ１に入力する。また、学級担任は、制限対象番号情報として各生徒の移動通信端末の電話番号を入力し、許可番号情報として、図４（ａ）に示す時刻であっても通信を許可する電話番号（例えば、生徒の自宅の電話番号等）を入力する。さらに通信種類情報として、許可する通信の種類を入力する。制限時刻情報、制限対象番号情報、許可番号情報、及び通信種類情報を含む登録情報は、インターネット網ＰＮ１を介して通信端末ＰＣ１から通信制御システムＣＣ１に送信される。
【００７６】
図５は、サービス制御局ＳＣ１による処理を示すフローチャートである。サービス制御局ＳＣ１の受信手段２１は、通信端末ＰＣ１から登録情報を受信する（図５、ステップＳ０１）。受信手段２１が登録情報を受信すると、指示部２７が、この登録情報に基づいて加入者データを生成するよう、生成部２８に指示する。生成部２８は、許可番号情報の示す番号それぞれについて、図２に示す加入者データを生成する（ステップＳ０２）。生成部２８が加入者データを生成すると、指示部２７が、この加入者データをＨＬＲ２０に格納させる（ステップＳ０３）。
【００７７】
格納後、指示部２７は、生成された加入者データを加入者が属している交換機へ送信するよう、送信部２２に指示する。送信部２２は、送信部２２の指示に応じて加入者データを交換機へ送信する（ステップＳ０４）。これにより、移動通信端末ＭＢ１の加入者データは、移動通信端末ＭＢ１を現在配下に置く交換機ＭＭ１に送信されることになる。交換機ＭＭ１の受信部１１が移動通信端末ＭＢ１の加入者データを受信すると、指示部１７が、この加入者データをＶＬＲ１０に格納させる（指示ステップ）。以上の工程を経て、登録情報の送信を契機とした加入者データの格納処理が終了する。
【００７８】
移動通信端末ＭＢ１が他の交換機の配下から交換機ＭＭ１の配下に移動してきたときの処理について、図６を用いて説明する。
【００７９】
移動通信端末ＭＢ１が交換機ＭＭ１の配下（すなわち基地局ＢＳ１のセル）に移動すると、移動通信端末ＭＢ１から、基地局ＢＳ１を介して交換機ＭＭ１に位置登録要求が送信される（ステップＳ１１）。位置登録要求には、移動通信端末ＭＢ１の電話番号の情報が含まれている。交換機ＭＭ１の受信部１１が位置登録要求を受信すると（ステップＳ１２）、指示部１７が、この位置登録要求をサービス制御局ＳＣ１に送信するよう送信部１２に指示する。送信部１２は、位置登録要求をサービス制御局ＳＣ１に送信する（ステップＳ１３）。
【００８０】
サービス制御局ＳＣ１の受信部２１が位置登録要求を受信すると（ステップＳ１４）、指示部２７の指示に応じて、抽出部２３がＨＬＲ２０から移動通信端末ＭＢ１の加入者データを抽出する（ステップＳ１５）。指示部２７は、抽出部２３によって移動通信端末ＭＢ１の加入者データが抽出されると、これを交換機ＭＭ１に送信するよう送信部２２に指示する。送信部２２は、移動通信端末ＭＢ１の加入者データを交換機ＭＭ１に送信する（ステップＳ１６）。
【００８１】
交換機ＭＭ１の受信部１１が移動通信端末ＭＢ１の加入者データを受信すると（ステップＳ１７）、指示部１７の指示に応じて（指示ステップ）、この加入者データはＶＬＲ１０に格納される（ステップＳ１８）。以上の工程を経て、移動通信端末ＭＢ１の移動を契機とした加入者データの格納処理が終了する。移動通信端末ＭＢ１の加入者データがＶＬＲ１０に格納されると、指示部１７の指示に応じて、送信部１２が位置登録応答を移動通信端末ＭＢ１に送信する（ステップＳ１９）。
【００８２】
次に、移動通信端末ＭＢ１から移動通信端末ＭＢ２への発信時における通信制御システムＣＣ１の処理について、図７を用いて説明する。図７は特に、交換機ＭＭ１での処理を示すフローチャートである。
【００８３】
移動通信端末ＭＢ１から、移動通信端末ＭＢ２への発信要求が送信されると、交換機ＭＭ１の受信部１１がこれを受信する（ステップＳ２１）。発信要求には、発信元である移動通信端末ＭＢ１の電話番号に関する情報と、発信先である移動通信端末ＭＢ２の電話番号に関する情報とが含まれている。受信部１１がこの発信要求を受信すると、指示部１７は、移動通信端末ＭＢ１の電話番号の情報を抽出部１４に出力し、移動通信端末ＭＢ２の電話番号の情報を判断部１５に出力する。
【００８４】
抽出部１４は、移動通信端末ＭＢ１の電話番号の情報を受け取ると、移動通信端末ＭＢ１の加入者データをＶＬＲ１０から抽出する（抽出ステップ、ステップＳ２２）。そして、抽出した加入者データを判断部１５に出力する。
【００８５】
判断部１５は、指示部１７から移動通信端末ＭＢ２の電話番号の情報を受け取り、抽出部１４から加入者データを受け取る。また判断部１５は、移動通信端末ＭＢ１から移動通信端末ＭＢ２への発信時刻を示す情報を、計測部１６から受け取る。判断部１５は、加入者データに含まれる制限時刻情報を参照する。より具体的には、図２に示す「祝日除く月〜金08：15−12：00」と「祝日除く月〜金13：00−16：00」を参照する。そして、移動通信端末ＭＢ１から移動通信端末ＭＢ２への発信時刻が、発着信が制限される時刻にあてはまるか否かを判断する（判断ステップ、ステップＳ２３）。
【００８６】
判断部１５は、移動通信端末ＭＢ１の発信時刻が、発着信が制限される時刻にあてはまらない場合には、発信を許可する旨を指示部１７に通知する。指示部１７は、この通知を受け取ると、移動通信端末ＭＢ２の在圏を確認するための在圏確認要求をサービス制御局ＳＣ１へ送信するよう、送信部１２に指示する。送信部１２は、サービス制御局ＳＣ１に在圏確認要求を送信する（ステップＳ２４）。
【００８７】
判断部１５は、移動通信端末ＭＢ１の発信時刻が、発着信が制限される時刻にあてはまる場合には、発着信が制限される時刻に対応する許可番号情報と通信種類情報とを参照する。そして、移動通信端末ＭＢ２に発信可能であるか否かを判断する（ステップＳ２５）。
【００８８】
より具体的には、移動通信端末ＭＢ１の発信時刻が祝日ではない月曜の１１：００であるならば、許可番号情報「03−0000−1111」「090−1111−2222」を参照する。移動通信端末ＭＢ２の電話番号が「03−0000−1111」「090−1111−2222」ではない場合、判断部１５は、移動通信端末ＭＢ１は移動通信端末ＭＢ２に発信不可能であるとして、移動通信端末ＭＢ１による発信を拒否する旨を指示部１７に通知する。指示部１７は、この通知を受け取ると、発信拒否の通知を移動通信端末ＭＢ１へ送信するよう、送信部１２に指示する。指示部１７の指示に応じて、送信部１２は移動通信端末ＭＢ１に発信拒否の通知を送信する（ステップＳ２６）。移動通信端末ＭＢ１の表示画面には、発信が拒否された旨が文字等で表示される。
【００８９】
移動通信端末ＭＢ２の電話番号が「03−0000−1111」又は「090−1111−2222」である場合、判断部１５は、この許可番号情報と対応付けられた通信種類情報を参照する。例えば、移動通信端末ＭＢ２の電話番号が「03−0000−1111」であるとすると、これに対応付けられた通信種類情報は「発信・着信」である。通信種類情報が発信を含む場合、判断部１５は、移動通信端末ＭＢ１は移動通信端末ＭＢ２に発信可能であるとして、移動通信端末ＭＢ１による発信を許可する旨を指示部１７に通知する。この通知を受け取った指示部１７の指示により、送信部１２はサービス制御局ＳＣ１に移動通信端末ＭＢ２の在圏を確認する在圏確認要求を送信する（ステップＳ２４）。通信種類情報が発信を含まない場合、判断部１５は、移動通信端末ＭＢ１は移動通信端末ＭＢ２に発信不可能であるとして、移動通信端末ＭＢ１による発信を拒否する旨を指示部１７に通知する。この通知を受け取った指示部１７の指示により、送信部１２は移動通信端末ＭＢ１に発信拒否の通知を送信する（ステップＳ２６）。
【００９０】
サービス制御局ＳＣ１の受信部２１は、交換機ＭＭ１から在圏確認要求を受信する。在圏確認要求には、移動通信端末ＭＢ１の電話番号の情報と、発信先である移動通信端末ＭＢ２の電話番号の情報とが含まれている。サービス制御局ＳＣ１は、移動通信端末ＭＢ２を配下に置く交換機ＭＭ２を特定し、在圏確認応答を交換機ＭＭ１に送信する。在圏確認応答を受信した交換機ＭＭ１は、サービス制御局ＳＣ１を介して交換機ＭＭ２に接続要求を送信する。以上の工程を経て、移動通信端末ＭＢ１からの発信時の処理が終了する。
【００９１】
次に、移動通信端末ＭＢ２から移動通信端末ＭＢ１への発信時における通信制御システムＣＣ１の処理について、図８を用いて説明する。図８は特に、サービス制御局ＳＣ１での処理を示すフローチャートである。
【００９２】
移動通信端末ＭＢ２から、移動通信端末ＭＢ１への発信要求が送信されると、移動通信端末ＭＢ２を配下に置く交換機ＭＭ２がこれを受信し、サービス制御局ＳＣ１に在圏確認要求を送信する。在圏確認要求には、発信元である移動通信端末ＭＢ２の電話番号に関する情報と、発信先である移動通信端末ＭＢ１の電話番号に関する情報とが含まれている。
【００９３】
サービス制御局ＳＣ１の受信部２１は、在圏確認要求を交換機ＭＭ２から受信する（ステップＳ４０）。受信部２１が在圏確認要求を受信すると、指示部２７は、移動通信端末ＭＢ１の電話番号の情報を抽出部２４に出力し、移動通信端末ＭＢ２の電話番号の情報を判断部２４に出力する。
【００９４】
抽出部２４は、移動通信端末ＭＢ１の電話番号の情報を受け取ると、移動通信端末ＭＢ１の加入者データをＨＬＲ２０から抽出する（ステップＳ４１）。そして、抽出した加入者データを判断部２５に出力する。
【００９５】
判断部２５は、指示部２７から移動通信端末ＭＢ２の電話番号の情報を受け取り、抽出部２４から加入者データを受け取る。また判断部２５は、移動通信端末ＭＢ２から移動通信端末ＭＢ１への発信時刻を示す情報を、計測部２６から受け取る。判断部２５は、加入者データに含まれる制限時刻情報を参照する。より具体的には、図２に示す「祝日除く月〜金08：15−12：00」と「祝日除く月〜金13：00−16：00」を参照する。そして、移動通信端末ＭＢ２から移動通信端末ＭＢ１への発信時刻が、発着信が制限される時刻にあてはまるか否かを判断する（判断ステップ、ステップＳ４２）。
【００９６】
判断部２５は、移動通信端末ＭＢ２の発信時刻が、発着信が制限される時刻にあてはまらない場合には、移動通信端末ＭＢ１による着信を許可する旨を指示部２７に通知する。指示部２７は、この通知を受け取ると、移動通信端末ＭＢ１の在圏を確認した旨を示す在圏確認応答を交換機ＭＭ２へ送信するよう、送信部２２に指示する。指示部２７の指示に応じて、送信部２２は交換機ＭＭ２に在圏確認応答を送信する（ステップＳ４３）。
【００９７】
判断部２５は、移動通信端末ＭＢ２の発信時刻が、発着信が制限される時刻にあてはまる場合には、発着信が制限される時刻に対応する許可番号情報と通信種類情報とを参照する。そして、移動通信端末ＭＢ２から着信可能であるか否かを判断する（ステップＳ４４）。
【００９８】
より具体的には、移動通信端末ＭＢ２の発信時刻が祝日ではない月曜の１１：００である場合、許可番号情報「03−0000−1111」「090−1111−2222」を参照する。移動通信端末ＭＢ２の電話番号が「03−0000−1111」「090−1111−2222」ではない場合、判断部１５は、移動通信端末ＭＢ１は移動通信端末ＭＢ２から着信不可能であるとして、移動通信端末ＭＢ１による着信を拒否する旨を指示部１７に通知する。指示部２７は、この通知を受け取ると、交換機ＭＭ２に接続拒否応答を送信するよう、送信部１２に指示する。指示部１７の指示に応じて、送信部１２は交換機ＭＭ２に接続拒否応答を送信する（ステップＳ４５）。
【００９９】
移動通信端末ＭＢ２の電話番号が「03−0000−1111」又は「090−1111−2222」である場合、判断部１５は、この許可番号情報と対応付けられた通信種類情報を参照する。例えば、移動通信端末ＭＢ２の電話番号が「03−0000−1111」であるとすると、これに対応付けられた通信種類情報は「発信・着信」である。通信種類情報が着信を含む場合、判断部１５は、移動通信端末ＭＢ１は移動通信端末ＭＢ２から着信可能であるとして、移動通信端末ＭＢ１による着信を許可する旨を指示部１７に通知する。この通知を受け取った指示部１７の指示により、送信部２２は交換機ＭＭ２に在圏確認応答を送信する（ステップＳ４３）。通信種類情報が着信を含まない場合、判断部１５は、移動通信端末ＭＢ１は移動通信端末ＭＢ２から着信不可能であるとして、移動通信端末ＭＢ１による着信を拒否する旨を指示部１７に通知する。この通知を受け取った指示部１７の指示により、送信部１２は交換機ＭＭ２に接続拒否応答を送信する（ステップＳ４５）。
【０１００】
交換機ＭＭ２は、サービス制御局ＳＣ１から在圏確認応答を受信すると、サービス制御局ＳＣ１を介して交換機ＭＭ１に接続要求を送信する。交換機ＭＭ２は、サービス制御局ＳＣ１から接続拒否応答を受信すると、その旨を移動通信端末ＭＢ２に通知する。移動通信端末ＭＢ２の表示画面には、発信が拒否された旨が文字等で表示される。以上の工程を経て、移動通信端末ＭＢ１による着信時の処理が終了する。
【０１０１】
続いて、第１実施形態に係る通信制御システムＣＣ１の作用及び効果について説明する。
【０１０２】
この通信制御システムＣＣ１は移動通信網に含まれており、移動通信端末ＭＢ１からの発信に応じて、移動通信端末ＭＢ１の発信時刻が、発信が制限される時刻に適合するか否かを判断する。適合しない場合には、移動通信端末ＭＢ１の発信は制限されないとみなし、適合する場合でも、移動通信端末ＭＢ２が許可番号情報に示される通信端末であり且つ通信種類情報が発信を示すものであれば、例外的に発信を許可する。したがって、通信制御システムＣＣ１によれば、移動通信端末ＭＢ１は、発信制限されている状態であっても特定端末に対しては発信が可能となる。しかも、これにかかる制御は通信制御システムＣＣ１側で行うため、移動通信端末ＭＢ１に特別な機能を持たせる必要がなくなる。
【０１０３】
また、この通信制御システムＣＣ１では、移動通信端末ＭＢ２から移動通信端末ＭＢ１への発信に応じて、移動通信端末ＭＢ２の発信時刻が、移動通信端末ＭＢ１による着信が制限される時刻に適合するか否かを判断する。適合しない場合には、移動通信端末ＭＢ１による着信は制限されないとみなし、適合する場合でも、移動通信端末ＭＢ２が許可番号情報に示される通信端末であり且つ通信種類情報が着信を示すものであれば、例外的に着信を許可する。したがって、通信制御システムＣＣ１によれば、移動通信端末ＭＢ１は、着信制限されている状態であっても特定端末については着信が可能となる。しかも、これにかかる制御は通信制御システムＣＣ１側で行うため、移動通信端末ＭＢ１に特別な機能を持たせる必要がなくなる。
【０１０４】
つまり、通信制御システムＣＣ１によれば、移動通信端末ＭＢ１側に特別な工夫をせずとも、移動通信端末ＭＢ１による発着信を制限し、且つ、移動通信端末ＭＢ１と特定端末との間については通信可能にできる。また、発着信の制限を、移動通信端末側ではなく通信制御システムＣＣ１で行うので、第３者、すなわち通信制御システムＣＣ１の管理者による適切な管理が可能となる。よって、発信及び着信の制限が不正に行われる等の事態を防ぐことができる。
【０１０５】
また、通信制御システムＣＣ１では、ＶＬＲ１０に格納された加入者データに基づき、交換機ＭＭ１が移動通信端末ＭＢ１による発信の可否を判断するので、交換機ＭＭ１とＶＬＲ１０とにより、移動通信端末ＭＢ１の発信を制限することができる。
【０１０６】
（第２実施形態）
続いて、第２実施形態に係る通信制御システムＣＣ２について説明する。通信制御システムＣＣ２は、移動通信端末ＭＢ１への着信を転送するものである。通信制御システムＣＣ２は、第１実施形態に係る通信制御システムＣＣ１と同じ構成要素を有している。ただし、加入者データの内容やサービス制御装置ＳＣ１の動作が、第１実施形態と一部異なっている。
【０１０７】
図９は、ＨＬＲ２０に格納された移動通信端末ＭＢ１の加入者データを示す図である。図９に示すように、加入者データは、転送先情報を含んでいる。転送先情報は、通信種類情報が「転送」を示す場合の、転送先となる通信端末を示す情報であって、本実施形態では転送先となる通信端末の電話番号である。転送先となる通信端末は、許可番号情報が示す通信端末からの通信を着信できる。
【０１０８】
例えば図９において、移動通信端末ＭＢ１の加入者番号「090−1234−5678」には、制限時刻情報「祝日除く月〜金08：15−12：00」と、許可番号情報「03−0000−1111」と、発信種類情報「発信・転送」と、転送先情報「03−4444−5555」とを含む加入者データが対応付けられている。これは、移動通信端末ＭＢ１は、「祝日除く月〜金08：15−12：00」に発着信が制限されるが、この間、電話番号「03−0000−1111」を有する通信端末に対しては発信が可能であることと、上記時間帯に電話番号「03−0000−1111」を有する通信端末から着信があった場合には、電話番号「03−4444−5555」を有する通信端末に転送することを示している。
【０１０９】
移動通信端末ＭＢ２から移動通信端末ＭＢ１への発信時、サービス制御装置ＳＣ１の判断部２５は、抽出部２４から移動通信端末ＭＢ１の加入者データを受け取ると共に、移動通信端末ＭＢ２から移動通信端末ＭＢ１への発信時刻を示す情報を、計測部２６から受け取る。判断部２５は、移動通信端末ＭＢ１の加入者データに含まれる制限時刻情報をもとに、移動通信端末ＭＢ２の発信時刻が、発着信が制限される時刻にあてはまるか否かを判断する。
【０１１０】
移動通信端末ＭＢ２の発信時刻が、発着信が制限される時刻にあてはまらない場合には、判断部２５は、移動通信端末ＭＢ１による着信を許可する旨を指示部２７に通知する。移動通信端末ＭＢ１の発信時刻が、発着信が制限される時刻にあてはまる場合には、移動通信端末ＭＢ１の加入者データに含まれ、且つ発着信が制限される時刻に対応する許可番号情報と通信種類情報とを参照する。そして、移動通信端末ＭＢ２から着信可能であるか否かを判断する。判断部２５は、移動通信端末ＭＢ２から着信可能な場合には、着信を許可する旨を指示部２７に通知し、着信不可能な場合には、転送可能であるか否か判断する。転送不可能な場合には、着信を拒否する旨を指示部２７に通知する。転送可能な場合には、発信先を転送先情報が示す電話番号に変更する。
【０１１１】
続いて、移動通信端末ＭＢ２から移動通信端末ＭＢ１への発信時における通信制御システムＣＣ２の処理について、図１１を用いて説明する。図１１は特に、サービス制御局ＳＣ１での処理を示すフローチャートである。ここでは、移動通信端末ＭＢ１は生徒の移動通信端末であり、授業中における移動通信端末ＭＢ１の着信を制御することを想定して説明する。
【０１１２】
ステップＳ５１，Ｓ５２の処理は、図８に示す通信制御システムＣＣ１のステップＳ４０，Ｓ４１の処理と同一であるため、説明を省略する。
【０１１３】
サービス制御局ＳＣ１の判断部２５は、指示部２７から移動通信端末ＭＢ２の電話番号の情報を受け取り、抽出部２４から加入者データを受け取る。また判断部２５は、移動通信端末ＭＢ２から移動通信端末ＭＢ１への発信時刻を示す情報を、計測部２６から受け取る。判断部２５は、加入者データに含まれる制限時刻情報を参照する。より具体的には、図２に示す「祝日除く月〜金08：15−12：00」と「祝日除く月〜金13：00−16：00」を参照する。そして、移動通信端末ＭＢ２から移動通信端末ＭＢ１への発信時刻が、発着信が制限される時刻にあてはまるか否かを判断する（ステップＳ５３）。
【０１１４】
判断部２５は、移動通信端末ＭＢ２の発信時刻が、発着信が制限される時刻にあてはまらない場合には、移動通信端末ＭＢ１による着信を許可する旨を指示部２７に通知する。指示部２７は、この通知を受け取ると、移動通信端末ＭＢ１の在圏を確認した旨を示す在圏確認応答を交換機ＭＭ２へ送信するよう、送信部２２に指示する。指示部２７の指示に応じて、送信部２２は交換機ＭＭ２に在圏確認応答を送信する（ステップＳ５４）。
【０１１５】
判断部２５は、移動通信端末ＭＢ２の発信時刻が、発着信が制限される時刻にあてはまる場合には、発着信が制限される時刻に対応する許可番号情報と通信種類情報とを参照する。そして、移動通信端末ＭＢ２から着信可能であるか否かを判断する。
【０１１６】
より具体的には、判断部２５は、許可番号情報を参照する（ステップＳ５５）。そして、移動通信端末ＭＢ２の電話番号が許可番号情報の示す電話番号に対応するか否かを判断する（ステップＳ５６）。
【０１１７】
例えば、移動通信端末ＭＢ２の発信時刻が祝日ではない月曜の１１：００である場合、判断部２５は、許可番号情報「03−0000−1111」「090−1111−2222」を参照する。そして、移動通信端末ＭＢ２の電話番号が「03−0000−1111」「090−1111−2222」ではない場合、判断部１５は、移動通信端末ＭＢ１は移動通信端末ＭＢ２から着信不可能であるとして、移動通信端末ＭＢ１による着信を拒否する旨を指示部１７に通知する。指示部２７は、この通知を受け取ると、交換機ＭＭ２に接続拒否応答を送信するよう、送信部１２に指示する。指示部１７の指示に応じて、送信部１２は交換機ＭＭ２に接続拒否応答を送信する（ステップＳ５７）。
【０１１８】
移動通信端末ＭＢ２の電話番号が許可番号情報の示す電話番号に対応する場合、判断部１５は、この許可番号情報と対応付けられた通信種類情報を参照する（ステップＳ５８）。例えば、移動通信端末ＭＢ２の電話番号が「03−0000−1111」であるとすると、これに対応付けられた通信種類情報は「発信・転送」である。判断部１５は、通信種類情報が着信を含むか否かを判断する（ステップＳ５９）。
【０１１９】
通信種類情報が着信を含む場合、判断部１５は、移動通信端末ＭＢ１は移動通信端末ＭＢ２から着信可能であるとして、移動通信端末ＭＢ１による着信を許可する旨を指示部１７に通知する。この通知を受け取った指示部１７の指示により、送信部２２は交換機ＭＭ２に在圏確認応答を送信する（ステップＳ５４）。
【０１２０】
通信種類情報が着信を含まない場合、判断部２５は、通信種類情報が転送を含むか否かを判断する（ステップＳ６０）。転送を含む場合、対応付けられた転送先情報を参照し、発信先を移動通信端末ＭＢ１の電話番号からこの転送先情報が示す電話番号に変更する（ステップＳ６１）。通信種類情報が転送を含まない場合、判断部２５は、発信を拒否する旨を指示部１７に通知する。この通知を受け取った指示部１７の指示により、送信部２２は交換機ＭＭ２に接続拒否の通知を送信する（ステップＳ５７）。
【０１２１】
このように、第２実施形態に係る通信制御システムＣＣ２によれば、特定端末からの発信を移動通信端末とは異なる通信端末に転送することができる。
【０１２２】
なお、本実施形態では、特定端末からの着信のみを転送する場合について述べたが、任意の通信端末からの着信全てを転送するとしてもよい。例えば図１０に示すように、転送先情報に対応付けた許可番号情報をワイルドカードとした場合には、全ての着信を転送先情報が示す電話番号に転送することが可能になる。
【０１２３】
（第３実施形態）
続いて、第３実施形態に係る通信制御システムＣＣ３について説明する。通信制御システムＣＣ３は、移動通信端末ＭＢ１の発信時刻だけでなく、位置にも基づいて、移動通信端末ＭＢ１の発信を制限するものである。通信制御システムＣＣ３は、第１実施形態に係る通信制御システムＣＣ１と同じ構成要素を有している。ただし、加入者データの内容や構成要素の動作が、第１実施形態と一部異なっている。
【０１２４】
図１２は、ＶＬＲ１０に格納された移動通信端末ＭＢ１の加入者データを示す図である。この加入者データは、制限場所情報を含んでいる。制限場所情報は、移動通信端末ＭＢ１の発着信が制限される領域（条件）を示すものである。例えば図１２において、移動通信端末ＭＢ１の加入者番号「090−1234−5678」には、制限時刻情報「祝日除く月〜金08：15−12：00」と、制限場所情報「セルＡ」と、許可番号情報「03−0000−1111」と、発信種類情報「発信・着信」とが対応付けられている。これは、移動通信端末ＭＢ１は、「祝日除く月〜金08：15−12：00」の間、「セルＡ」に属する場合に発着信が制限されるが、この場合であっても、電話番号「03−0000−1111」を有する通信端末に対しては発信が可能で、且つ電話番号「03−0000−1111」を有する通信端末から着信が可能であることを指している。
【０１２５】
交換機ＭＭ１の計測部１６は、移動通信端末ＭＢ１の発信時刻を計測すると共に、移動通信端末ＭＢ１の発信時の位置を計測する。計測部１６は、移動通信端末ＭＢ１の位置を示す位置情報を、発信時刻を示す情報と共に判断部１５に出力する。
【０１２６】
判断部１５は、抽出部１４から加入者データを受け取り、計測部１６から発信時刻を示す情報および位置情報を受け取る。判断部１５は、位置情報の示す位置が、制限場所情報の示す領域に含まれるか否かを判断する。制限場所情報の示す領域に含まれない場合には、判断部１５は、発信を許可する旨を指示部１７に通知する。制限場所情報の示す領域に含まれる場合には、判断部１５は、移動通信端末ＭＢ１の発信時刻が、移動通信端末ＭＢ１の発着信が制限される時刻にあてはまるか否かを判断する。
【０１２７】
続いて、移動通信端末ＭＢ１から移動通信端末ＭＢ２への発信時における通信制御システムＣＣ３の処理について、図１３を用いて説明する。図１３は特に、サービス制御局ＳＣ３での処理を示すフローチャートである。
【０１２８】
移動通信端末ＭＢ１から、移動通信端末ＭＢ２への発信要求が送信されると、交換機ＭＭ１の受信部１１がこれを受信する（ステップＳ７０）。受信部１１がこの発信要求を受信すると、指示部１７は、移動通信端末ＭＢ１の電話番号の情報を抽出部１４に出力し、移動通信端末ＭＢ２の電話番号の情報を判断部１５に出力する。
【０１２９】
抽出部１４は、移動通信端末ＭＢ１の電話番号の情報を受け取ると、移動通信端末ＭＢ１の加入者データをＶＬＲ１０から抽出する（抽出ステップ、ステップＳ７１）。そして、抽出した加入者データを判断部１５に出力する。
【０１３０】
判断部１５は、指示部１７から移動通信端末ＭＢ２の電話番号の情報を受け取り、抽出部１４から加入者データを受け取る。また判断部１５は、移動通信端末ＭＢ１から移動通信端末ＭＢ２への発信時刻を示す情報と発信時の移動通信端末ＭＢ1の位置情報とを、計測部１６から受け取る。
【０１３１】
判断部１５は、指示部１７から移動通信端末ＭＢ２の電話番号の情報を受け取り、抽出部１４から加入者データを受け取り、計測部１６から発信時刻を示す情報および位置情報を受け取る。判断部１５は、加入者データに含まれる制限場所情報を参照する。より具体的には、図１２に示す「セルＡ」と「セルＢ」を参照する。そして、移動通信端末ＭＢ１の発信時の位置が、発着信が制限される領域に含まれるか否かを判断する（ステップＳ７２）。
【０１３２】
判断部１５は、移動通信端末ＭＢ１の発信時の位置が、制限場所情報が示す領域に含まれない場合には、発信を許可する旨を指示部１７に通知する。指示部１７は、この通知を受け取ると、サービス制御局ＳＣ１に在圏確認要求を送信するよう、送信部１２に指示する。指示部１７の指示に応じて、送信部１２はサービス制御局ＳＣ１に在圏確認要求を送信する（ステップＳ７３）。
【０１３３】
判断部１５は、移動通信端末ＭＢ１の発信時の位置が、制限場所情報が示す領域に含まれる場合には、これに対応付けられた制限時刻情報を参照する。より具体的には、移動通信端末ＭＢ１の発信時の位置がセルＡに含まれる場合、図１２に示すように、制限場所情報「セルＡ」に対応付けられた制限時刻情報「祝日除く月〜金08：15−12：00」と「祝日除く月〜金13：00−16：00」を参照する。そして、移動通信端末ＭＢ１から移動通信端末ＭＢ２への発信時刻が、発着信が制限される時刻にあてはまるか否かを判断する（ステップＳ７４）。ステップＳ７４以降の処理は第１実施形態におけるステップＳ２３以降の処理と同様であるため、説明を省略する。
【０１３４】
このように、第３実施形態に係る通信制御システムＣＣ３によれば、時刻だけでなく移動通信端末ＭＢ１の発信時の位置にも基づいて、移動通信端末ＭＢ１の発信を制限することができる。
【０１３５】
（第４実施形態）
続いて、第４実施形態に係る通信制御システムＣＣ４について説明する。通信制御システムＣＣ４は、ＣＡＭＥＬ（Customized Application for Mobile Enhanced network Logic）サービス制御を利用したものである。第１実施形態に係る通信制御システムＣＣ１と同じ構成要素を有している。ただし、構成要素の動作が、第１実施形態と一部異なっている。 
【０１３６】
交換機ＭＭ１に接続されたＶＬＲ１０には、ＣＳＩ（CAMEL Subscription Information）として時間帯リストが格納されている。ＣＳＩとは、サービス制御装置ＳＣ１にＣＡＭＥＬサービス制御を要求する契機を示すものであって、時間帯リストは、サービス制御装置ＳＣ１に指示を仰ぐべき時間帯を示している。図１４に、ＶＬＲ１０に格納された移動通信端末ＭＢ１の時間帯リストの例を示す。図１４において、移動通信端末ＭＢ１の加入者番号「090−1234−5678」には、時間帯リスト「祝日除く月〜金08：15−12：00」「祝日除く月〜金13：00−16：00」が対応付けられている。これは、「祝日除く月〜金08：15−13：00」及び「祝日除く月〜金13：00−16：00」に、サービス制御装置ＳＣ１にＣＡＭＥＬサービス制御を要求することを意味している。時間帯リストは、ＨＬＲ２０に格納された加入者データに基づいて決定される。
【０１３７】
交換機ＭＭ１の抽出部１４は、指示部１７から移動通信端末ＭＢ１の電話番号の情報を受け取ると、移動通信端末ＭＢ１の時間帯リストをＶＬＲ１０から抽出する。そして、抽出したＣＳＩを判断部１５に出力する。
【０１３８】
判断部１５は、抽出部１４から時間帯リストを受け取ると共に、計測部１６から移動通信端末ＭＢ１の発信時刻を示す情報を受け取る。判断部１５は、移動通信端末ＭＢ１の発信時刻が、時間帯リストが示す時間帯に含まれるか否かを判断する。時間帯リストが示す時間帯に含まれない場合には、判断部１５は、発信を許可する旨を指示部１７に通知する。移動通信端末ＭＢ１の発信時刻が、時間帯リストが示す時間帯に含まれる場合には、判断部１５は、ＣＡＭＥＬ報告の送信が可能である旨を指示部１７に通知する。
【０１３９】
指示部１７は、判断部１５から判断結果を受け取る。指示部１７は、判断部１５から発信を許可する旨の通知を受け取ると、第１実施形態と同様の処理を行う。
【０１４０】
指示部１７は、判断部１５からＣＡＭＥＬ報告の送信が可能である旨の通知を受け取ると、ＣＡＭＥＬ報告をサービス制御局ＳＣ１へ送信するよう、送信部１２に指示する。ＣＡＭＥＬ報告には、発信元である移動通信端末ＭＢ１の電話番号と、発信先である移動通信端末ＭＢ２の電話番号とが含まれている。
【０１４１】
指示部１７は、ＣＡＭＥＬ報告を受信したサービス制御局ＳＣ１から、発信継続を示すＣＡＭＥＬ命令を受信部１１が受信した場合には、在圏確認要求をサービス制御局ＳＣ１に送信するよう送信部１２に指示する。ＣＡＭＥＬ報告を受信したサービス制御局ＳＣ１から、接続拒否を示すＣＡＭＥＬ命令を受信部１１が受信した場合には、指示部１７は、発信拒否の通知を移動通信端末ＭＢ１へ送信するよう、送信部１２に指示する。
【０１４２】
また、指示部１７は、受信部１１がサービス制御局ＳＣ１から移動通信端末ＭＢ１の時間帯リストを受信すると、これをＶＬＲ１０に格納させる。
【０１４３】
次に、サービス制御局ＳＣ１について説明する。サービス制御局ＳＣ１の受信部２１は、交換機ＭＭ１，ＭＭ２からＣＡＭＥＬ報告を受信する。
【０１４４】
ＨＬＲ２０には、移動通信端末ＭＢ１の加入者データが格納されている。ＨＬＲ２０に格納された移動通信端末ＭＢ１の加入者データは、第１実施形態のＨＬＲ２０に格納された加入者データと同一である。
【０１４５】
判断部２５は、移動通信端末ＭＢ１から移動通信端末ＭＢ２への発信、及び、移動通信端末ＭＢ２から移動通信端末ＭＢ１への発信の可否を判断する部分である。判断部２５は、抽出部２４から加入者データを受け取ると共に、計測部２６から移動通信端末ＭＢ１から移動通信端末ＭＢ２への発信時刻、または移動通信端末ＭＢ２から移動通信端末ＭＢ１への発信時刻を示す情報を受け取る。
【０１４６】
ＣＡＭＥＬ報告の送信元が交換機ＭＭ１であるならば、判断部２５は、移動通信端末ＭＢ１の加入者データをもとに、移動通信端末ＭＢ１による移動通信端末ＭＢ２への発信の可否を判断する。判断部２５は判断結果を指示部２７に通知する。
【０１４７】
ＣＡＭＥＬ報告の送信元が交換機ＭＭ２であるならば、判断部２５は、移動通信端末ＭＢ１の加入者データをもとに、移動通信端末ＭＢ１における移動通信端末ＭＢ２からの着信の可否を判断する。判断部２５は判断結果を指示部２７に通知する。
【０１４８】
指示部２７は、判断部２５から発信を許可する旨の通知を受け取ると、ＣＡＭＥＬ報告の送信元が交換機ＭＭ１の場合には交換機ＭＭ１に対して、交換機ＭＭ２の場合には交換機ＭＭ２に対して、発信継続を示すＣＡＭＥＬ命令を送信するよう送信部２２に指示する。ＣＡＭＥＬ命令を受信した交換機ＭＭ１又はＭＭ２から、受信部２１が接続要求を受信すると、指示部２７は、接続要求の送信元が交換機ＭＭ１の場合には交換機ＭＭ２に、交換機ＭＭ２の場合には交換機ＭＭ１に、接続要求を送信するよう送信部２２に指示する。
【０１４９】
指示部２７は、判断部２５から発信を拒否する旨の通知を受け取ると、ＣＡＭＥＬ報告の送信元が交換機ＭＭ１の場合には交換機ＭＭ１に対して、交換機ＭＭ２の場合には交換機ＭＭ２に対して、接続拒否を示すＣＡＭＥＬ命令を送信するよう、送信部２２に指示する。
【０１５０】
生成部２８は、通信端末ＰＣ１から送信された登録情報に基づき、加入者データと時間帯リストとを生成する。なお、生成部２８は、時間帯リストを加入者データから生成することもある。上記が、第１実施形態に係る通信制御システムＣＣ１の構成である。
【０１５１】
続いて、第４実施形態に係る通信制御システムＣＣ４で実行される処理（通信制御方法）について説明する。ここでは、移動通信端末ＭＢ１は生徒の移動通信端末であり、授業中における移動通信端末ＭＢ１の発信を制御することを想定して説明する。
【０１５２】
まず、通信端末ＭＢ１の加入者データの格納処理について説明する。図１５は特に、サービス制御局ＳＣ１における処理を示すフローチャートである。
【０１５３】
まず、第１実施形態と同様に、制限時刻情報、制限対象番号情報、許可番号情報、及び通信種類情報を含む登録情報がＰＣ１から通信端通信制御システムＣＣ４に送信される。サービス制御局ＳＣ１の受信手段２１は、この登録情報を受信する（ステップＳ８１）。受信手段２１が登録情報を受信すると、指示部２７が、この登録情報に基づいて加入者データおよび時間帯リストを生成するよう、生成部２８に指示する。生成部２８は、指示部２７による指示に応じて、登録情報をもとに図２に示す加入者データおよび時間帯リストを生成する（ステップＳ８２）。生成部２８が加入者データおよび時間帯リストを生成すると、指示部２７は、加入者データをＨＬＲ２０に格納させる（ステップＳ８３）。
【０１５４】
格納後、指示部２７は、生成された時間帯リストを加入者が属している交換機へ送信するよう、送信部２２に指示する。送信部２２は、送信部２２の指示に応じて時間帯リストを交換機へ送信する（送信ステップ、ステップＳ８４）。これにより、移動通信端末ＭＢ１の時間帯リストは、移動通信端末ＭＢ１を現在配下に置く交換機ＭＭ１に送信されることになる。交換機ＭＭ１の受信部１１が移動通信端末ＭＢ１の時間帯リストを受信すると、指示部１７が、この時間帯リストをＶＬＲ１０に格納させる。以上の工程を経て、登録情報の送信を契機とした加入者データ及び時間帯リストの格納処理が終了する。
【０１５５】
移動通信端末ＭＢ１が他の交換機の配下から交換機ＭＭ１の配下に移動してきたときの処理について、図１６を用いて説明する。
【０１５６】
ステップＳ９１〜Ｓ９３の処理は、図６に示すステップＳ１１〜Ｓ１３の処理と同様のため、省略する。サービス制御局ＳＣ１の受信部２１が位置登録要求を受信すると（ステップＳ９４）、指示部２７の指示に応じて、生成部２８が、ＨＬＲ２０に格納された移動通信端末ＭＢ１の加入者データに基づいて時間帯リストを生成する（ステップＳ９５）。指示部２７は、生成部２８によって移動通信端末ＭＢ１の時間帯リストが生成されると、これを交換機ＭＭ１に送信するよう送信部２２に指示する。送信部２２は、移動通信端末ＭＢ１の時間帯リストを交換機ＭＭ１に送信する（送信ステップ、ステップＳ９６）。
【０１５７】
交換機ＭＭ１の受信部１１が移動通信端末ＭＢ１の時間帯リストを受信すると（ステップＳ９７）、指示部１７の指示に応じて、この時間帯リストはＶＬＲ１０に格納される（ステップＳ９８）。以上の工程を経て、移動通信端末ＭＢ１の移動を契機とした時間帯リストの格納処理が終了する。移動通信端末ＭＢ１の時間帯リストがＶＬＲ１０に格納されると、指示部１７の指示に応じて、送信部１２が位置登録応答を移動通信端末ＭＢ１に送信する（ステップＳ９９）。
【０１５８】
次に、移動通信端末ＭＢ１から移動通信端末ＭＢ２への発信時における通信制御システムＣＣ１の処理について、図１７を用いて説明する。図１７は特に、交換機ＭＭ１での処理を示すフローチャートである。
【０１５９】
移動通信端末ＭＢ１から、移動通信端末ＭＢ２への発信要求が送信されると、交換機ＭＭ１の受信部１１がこれを受信する（ステップＳ１０１）。発信要求には、発信元である移動通信端末ＭＢ１の電話番号に関する情報と、発信先である移動通信端末ＭＢ２の電話番号に関する情報とが含まれている。受信部１１がこの発信要求を受信すると、指示部１７は、移動通信端末ＭＢ１の電話番号の情報を抽出部１４に出力し、移動通信端末ＭＢ２の電話番号の情報を判断部１５に出力する。
【０１６０】
抽出部１４は、移動通信端末ＭＢ１の電話番号の情報を受け取ると、移動通信端末ＭＢ１の時間帯リストをＶＬＲ１０から抽出する（抽出ステップ、ステップＳ１０２）。そして、抽出した時間帯リストを判断部１５に出力する。
【０１６１】
判断部１５は、抽出部１４から時間帯リストを受け取る。また、移動通信端末ＭＢ１から移動通信端末ＭＢ２への発信時刻を示す情報を、計測部１６から受け取る。判断部１５は、時間帯リストを参照する。より具体的には、図１４に示す「祝日除く月〜金08：15−12：00」と「祝日除く月〜金13：00−16：00」を参照する。そして、移動通信端末ＭＢ１から移動通信端末ＭＢ２への発信時刻が、時間帯リストが示す時間帯に含まれるか否かを判断する（ステップＳ１０３）。
【０１６２】
移動通信端末ＭＢ１の発信時刻が、時間帯リストの示す時間帯に含まれない場合には、判断部１５は発信を許可する旨を指示部１７に通知する。指示部１７は、この通知を受け取ると、サービス制御局ＳＣ１に在圏確認要求を送信するよう、送信部１２に指示する。指示部１７の指示に応じて、送信部１２はサービス制御局ＳＣ１に在圏確認要求を送信する（ステップＳ１０４）。
【０１６３】
時刻情報の示す時刻が、時間帯リストの示す時間帯に含まれる場合には、判断部１５はＣＡＭＥＬ報告の送信が可能である旨を指示部１７に通知する。指示部１７は、判断部１５からＣＡＭＥＬ報告の送信が可能である旨の通知を受け取ると、サービス制御局ＳＣ１にＣＡＭＥＬ報告を送信するよう、送信部１２に指示する。送信部１２は、サービス制御局ＳＣ１にＣＡＭＥＬ報告を送信する（ステップＳ１０５）。ＣＡＭＥＬ報告には、移動通信端末ＭＢ１の電話番号と、発信先である移動通信端末ＭＢ２の電話番号とが含まれている。
【０１６４】
ここで、ＣＡＭＥＬ報告を受信したサービス制御局ＳＣ１の処理を説明する。図１８は、ＣＡＭＥＬ報告を受信したサービス制御局ＳＣ１の処理を示すフローチャートである。
【０１６５】
サービス制御局ＳＣ１の受信部２１が交換機ＭＭ１からＣＡＭＥＬ報告を受信すると（ステップＳ１１１）、指示部２７は、移動通信端末ＭＢ１の電話番号の情報を抽出部２４に出力し、移動通信端末ＭＢ２の電話番号の情報を判断部２５に出力する。
【０１６６】
抽出部２４は、移動通信端末ＭＢ１の電話番号の情報を受け取ると、移動通信端末ＭＢ１の加入者データをＨＬＲ２０から抽出する（ステップＳ１１２）。そして、抽出した加入者データを判断部２５に出力する。
【０１６７】
判断部１５は、指示部２７から移動通信端末ＭＢ２の電話番号の情報を受け取り、抽出部２４から加入者データを受け取る。また判断部２５は、移動通信端末ＭＢ１から移動通信端末ＭＢ２への発信時刻を示す情報を、計測部２６から受け取る。判断部２５は、加入者データに含まれる制限時刻情報を参照する。より具体的には、図２に示す「祝日除く月〜金08：15−12：00」と「祝日除く月〜金13：00−16：00」を参照する。そして、移動通信端末ＭＢ１の発信時刻を含む制限時刻情報を特定する（ステップＳ１１３）。判断部２５は、特定した制限時刻情報に対応付けられた許可番号情報と通信種類情報とを参照し（ステップＳ１１４）、移動通信端末ＭＢ２に発信可能であるか否かを判断する（ステップＳ１１５）。
【０１６８】
より具体的には、移動通信端末ＭＢ１の発信時刻が祝日ではない月曜の１１：００であるならば、許可番号情報「03−0000−1111」「090−1111−2222」を参照する。移動通信端末ＭＢ２の電話番号が「03−0000−1111」「090−1111−2222」ではない場合、判断部２５は、移動通信端末ＭＢ１は移動通信端末ＭＢ２に発信不可能であるとして、移動通信端末ＭＢ１による発信を拒否する旨を指示部２７に通知する。指示部２７は、この通知を受け取ると、接続拒否を示すＣＡＭＥＬ命令を交換機ＭＭ１に対して送信するよう、送信部２２に指示する。送信部２２は接続拒否を示すＣＡＭＥＬ命令を交換機ＭＭ１に対して送信する（ステップＳ１１６）。
【０１６９】
移動通信端末ＭＢ２の電話番号が「03−0000−1111」又は「090−1111−2222」である場合、判断部２５は、この許可番号情報と対応付けられた通信種類情報を参照する。例えば、移動通信端末ＭＢ２の電話番号が「03−0000−1111」であるとすると、これに対応付けられた通信種類情報は「発信・着信」である。通信種類情報が発信を含む場合、判断部２５は、移動通信端末ＭＢ１は移動通信端末ＭＢ２に発信可能であるとして、移動通信端末ＭＢ１による発信を許可する旨を指示部２７に通知する。この通知を受け取った指示部２７の指示により、送信部２２は、発信継続を示すＣＡＭＥＬ命令を交換機ＭＭ１に送信する（ステップＳ１１７）。通信種類情報が発信を含まない場合、判断部２５は、移動通信端末ＭＢ１は移動通信端末ＭＢ２に発信不可能であるとして、移動通信端末ＭＢ１による発信を拒否する旨を指示部２７に通知する。この通知を受け取った指示部２７の指示により、送信部２２は、接続拒否を示すＣＡＭＥＬ命令を交換機ＭＭ１に対して送信する（ステップＳ１１６）。
【０１７０】
ここで、図１７に戻って、ＣＡＭＥＬ命令を受信した交換機ＭＭ１の処理を説明する。交換機ＭＭ１の受信部１１がサービス制御局ＳＣ１からＣＡＭＥＬ命令を受信すると（ステップＳ１０６）、指示部１７は、このＣＡＭＥＬ命令が発信継続を示すのか、接続拒否を示すのかを判断する（ステップＳ１０７）。
【０１７１】
ＣＡＭＥＬ命令が発信拒否を示す場合には、指示部１７は、発信拒否の通知を移動通信端末ＭＢ１に送信するよう送信部１２に指示する。送信部１２は、発信拒否の通知を移動通信端末ＭＢ１に送信する（ステップＳ１０８）。これにより、移動通信端末ＭＢ１の表示画面には、発信が拒否された旨が文字等で表示される。
【０１７２】
ＣＡＭＥＬ命令が発信継続を示す場合には、在圏確認要求をサービス制御局ＳＣ１へ送信するよう送信部１２に指示する。指示部１７の指示に応じて、送信部１２はサービス制御局ＳＣ１に在圏確認要求を送信する（ステップＳ１０４）。
【０１７３】
サービス制御局ＳＣ１は、移動通信端末ＭＢ２を配下に置く交換機ＭＭ２を特定し、在圏確認応答を交換機ＭＭ１に送信する。在圏確認応答を受信した交換機ＭＭ１は、サービス制御局ＳＣ１を介して交換機ＭＭ２に接続要求を送信する。以上の工程を経て、移動通信端末ＭＢ１からの発信時の処理が終了する。
【０１７４】
次に、移動通信端末ＭＢ１の着信時における通信制御システムＣＣ４の処理について、図１９を用いて説明する。ここでは、移動通信端末ＭＢ１は生徒の移動通信端末であり、授業中における移動通信端末ＭＢ１の着信を制御することを想定して説明する。図１９は特に、サービス制御局ＳＣ１での処理を示すフローチャートである。
【０１７５】
サービス制御局ＳＣ１の受信部２１は、移動通信端末ＭＢ２を配下に置く交換機ＭＭ２から在圏確認要求を受信する（ステップＳ１３１）。在圏確認要求には、発信元である移動通信端末ＭＢ２の電話番号に関する情報と、発信先である移動通信端末ＭＢ１の電話番号に関する情報とが含まれている。
【０１７６】
受信部２１が在圏確認要求を受信すると、指示部２７の指示により、送信部２２が、移動通信端末ＭＢ１の在圏を確認した旨を示す在圏確認応答を交換機ＭＭ２に送信する（ステップＳ１３２）。
【０１７７】
また、指示部２７は、受信部２１が在圏確認要求を受信すると、在圏確認要求から移動通信端末ＭＢ１の電話番号の情報を取得し、かかる情報を生成部２８に出力する。生成部２８は、ＨＬＲ２０に格納された移動通信端末ＭＢ１の加入者データから、移動通信端末ＭＢ１に対応する時間帯リストを生成する。送信部２８は、生成された時間帯リストを交換機ＭＭ２に送信する（ステップＳ１３３）。
【０１７８】
時間帯リストを受信した交換機ＭＭ２からは、移動通信端末ＭＢ２から移動通信端末ＭＢ1への発信時刻が時間帯リストに含まれる場合、ＣＡＭＥＬ報告が送信される。ＣＡＭＥＬ報告には、発信元である移動通信端末ＭＢ２の電話番号に関する情報と、発信先である移動通信端末ＭＢ１の電話番号に関する情報とが含まれている。
【０１７９】
サービス制御局ＳＣ１の受信部２１は、交換機ＭＭ２からＣＡＭＥＬ報告を受信する（ステップＳ１３４）。受信部２１が交換機ＭＭ２からＣＡＭＥＬ報告を受信すると、指示部２７がＣＡＭＥＬ報告から移動通信端末ＭＢ１の電話番号の情報を取得し、かかる情報を抽出部２４に出力する。また指示部２７は、ＣＡＭＥＬ報告から発信元である移動通信端末ＭＢ２の電話番号の情報を取得し、かかる情報を判断部２４に出力する。
【０１８０】
抽出部２４は、移動通信端末ＭＢ１の加入者データをＨＬＲ２０から抽出する（ステップＳ１３５）。そして、抽出した加入者データを判断部２５に出力する。
【０１８１】
判断部２５は、指示部２７から移動通信端末ＭＢ２の電話番号の情報を受け取り、抽出部２４から加入者データを受け取り、計測部２６から移動通信端末ＭＢ２から移動通信端末ＭＢ１への発信時刻の情報を受け取る。判断部２５は、加入者データに含まれる制限時刻情報を参照し、移動通信端末ＭＢ２の発信時刻を含む制限時刻情報を特定する（ステップＳ１３６）。判断部２５は、特定した制限時刻情報に対応付けられた許可番号情報と通信種類情報とを参照し（ステップＳ１３７）、移動通信端末ＭＢ２から着信可能であるか否かを判断する（ステップＳ１３８）。
【０１８２】
より具体的には、移動通信端末ＭＢ２の発信時刻が祝日ではない月曜の１１：００であるならば、許可番号情報「03−0000−1111」「090−1111−2222」を参照する。移動通信端末ＭＢ２の電話番号が「03−0000−1111」「090−1111−2222」ではない場合、判断部２５は、移動通信端末ＭＢ１は移動通信端末ＭＢ２から着信不可能であるとして、移動通信端末ＭＢ１による着信を拒否する旨を指示部２７に通知する。この通知を受けた指示部２７からの指示に応じて、送信部２２は、接続拒否を示すＣＡＭＥＬ命令を交換機ＭＭ２へ送信する（ステップＳ１３９）。
【０１８３】
移動通信端末ＭＢ２の電話番号が「03−0000−1111」又は「090−1111−2222」である場合、判断部２５は、この許可番号情報と対応付けられた通信種類情報を参照する。例えば、移動通信端末ＭＢ２の電話番号が「03−0000−1111」であるとすると、これに対応付けられた通信種類情報は「発信・着信」である。通信種類情報が着信を含む場合、判断部２５は、移動通信端末ＭＢ１は移動通信端末ＭＢ２から着信可能であるとして、移動通信端末ＭＢ１による着信を許可する旨を指示部２７に通知する。この通知を受け取った指示部２７の指示により、送信部２２は、発信継続を示すＣＡＭＥＬ命令を交換機ＭＭ２に送信する（ステップＳ１４０）。通信種類情報が着信を含まない場合、判断部２５は、移動通信端末ＭＢ１は移動通信端末ＭＢ２から着信不可能であるとして、移動通信端末ＭＢ１による着信を拒否する旨を指示部２７に通知する。この通知を受け取った指示部２７の指示により、送信部２２は、接続拒否を示すＣＡＭＥＬ命令を交換機ＭＭ２に対して送信する（ステップＳ１３９）。
【０１８４】
交換機ＭＭ２は、サービス制御局ＳＣ１からＣＡＭＥＬ命令を受信すると、このＣＡＭＥＬ命令が発信継続を示すのか、接続拒否を示すのかを判断する。ＣＡＭＥＬ命令が発信拒否を示す場合には、交換機ＭＭ２は、発信拒否の通知を移動通信端末ＭＢ２に送信する。これにより、移動通信端末ＭＢ２の表示画面には、発信が拒否された旨が文字等で表示される。ＣＡＭＥＬ命令が発信継続を示す場合には、交換機ＭＭ１は、サービス制御局ＳＣ１を介して交換機ＭＭ１に接続要求を送信する。以上の工程を経て、移動通信端末ＭＢ１による着信時の処理が終了する。
【０１８５】
続いて、第４実施形態に係る通信制御システムＣＣ４の作用及び効果について説明する。
【０１８６】
この通信制御システムＣＣ４では、移動通信端末ＭＢ１から移動通信端末ＭＢ２に発信する場合も、移動通信端末ＭＢ２から移動通信端末ＭＢ１に発信する場合も、サービス制御局ＳＣ１が、発信の可否を判断する。したがって、交換機ＭＭ１，ＭＭ２の負荷を軽減することができる。また、ＶＬＲ１０は時刻の情報を含む時間帯リストを格納すればよく、発信制限情報及び発信可端末情報を含む加入者データを格納する必要がなくなるため、ＶＬＲ１０の有効利用を図ることができる。
【０１８７】
以上、本発明の好適な実施形態について説明したが、本発明は上記実施形態に限られるものではない。
【０１８８】
上記実施形態では、学校等に生徒が移動通信端末を持ち込む場合に、授業中におけるこの移動通信端末の通信を制御することを想定した。そのため、学級担任が、一つの制限時刻情報（授業の時間帯）に複数の制限対象番号情報（複数の生徒の移動通信端末の電話番号）を対応付けて通信端末ＰＣ１から送信するとしたが、制限時刻情報と制限対象番号情報との対応付けはこれに限られず、一つの制限対象番号情報に複数の制限時刻情報を対応付けてもよい。これにより、例えば秘書が、自身の所有する通信端末から通信制御システムに対し、上司の移動通信端末の電話番号（制限対象番号情報）と、上司のスケジュールとを対応付けて送信することが可能になる。上司のスケジュールには、上司が出席する会議の開始〜終了時間の情報や来客対応時間の情報（複数の制限時刻情報）が含まれる。この場合、会議中や来客対応中における上司の移動通信端末の通信を制限することが可能になる。
【０１８９】
また、上記実施形態では、移動通信端末（移動通信端末ＭＢ１）の加入者データは、当該移動通信端末以外の通信端末（通信端末ＰＣ１）から送信された登録情報に基づき決定されているが、これに限られない。例えば、移動通信端末ＭＢ１の加入者データは、通信端末ＰＣ１から送信された登録情報だけでなく、移動通信端末ＭＢ１自身から送信された登録情報に基づくものであってもよい。しかしながらこの場合、移動通信端末ＭＢ１の加入者データは、移動通信端末ＭＢ１からも通信端末ＰＣ１からも設定できることになるため、混乱が生じるおそれがある。そこで、移動通信端末ＭＢ１の加入者データを、移動通信端末ＭＢ１を用いて設定するときと、移動通信端末ＭＢ１以外の通信端末を用いて設定するときとで、設定権限を異ならせることが好ましい。この場合、例えば、秘書の移動通信端末からは上司の移動通信端末の加入者データを削除できないが、上司の移動通信端末からは自身の加入者データを変更することが可能になるため、上司は、会議が早く終わった場合には自ら加入者データを変更して通信の制限を解除することができる。
【０１９０】
また、第１、第３、及び第４実施形態では、特定端末への発信のみを許可する場合について述べたが、通信種類情報「発信」に対応付けられた許可番号情報がワイルドカードである場合には（ワイルドカードについては図１０参照）、全ての発信を許可するとしてもよい。また、第２及び第４実施形態では、特定端末からの着信のみを許可する場合について述べたが、通信種類情報「着信」に対応付けられた許可番号情報がワイルドカードである場合には、全ての着信を許可するとしてもよい。
【図面の簡単な説明】
【０１９１】
【図１】本発明の第１実施形態に係る通信制御システムの構成を示す図である。
【図２】ＶＬＲに格納された移動通信端末の加入者データを示す図である。
【図３】本発明の第１実施形態に係る通信制御システムでの、通信制御システムに登録情報が送信された時の処理を説明するための図である。
【図４】登録情報を示す図である。
【図５】本発明の第１実施形態に係る通信制御システムでの、サービス制御局による処理を示すフローチャートである。
【図６】本発明の第１実施形態に係る通信制御システムでの、移動通信端末が他の交換機の配下から移動してきたときの処理を説明するための図である。
【図７】本発明の第１実施形態に係る通信制御システムでの、交換機による処理を示すフローチャートである。
【図８】本発明の第１実施形態に係る通信制御システムでの、サービス制御局による処理を示すフローチャートである。
【図９】ＨＬＲに格納された移動通信端末の加入者データを示す図である。
【図１０】ＨＬＲに格納された移動通信端末の加入者データの変形例を示す図である。
【図１１】本発明の第２実施形態に係る通信制御システムでの、サービス制御局による処理を示すフローチャートである。
【図１２】ＶＬＲに格納された移動通信端末の加入者データを示す図である。
【図１３】本発明の第３実施形態に係る通信制御システムでの、サービス制御局による処理を示すフローチャートである。
【図１４】ＶＬＲに格納された移動通信端末の時間帯リストの例を示す図である。
【図１５】第４実施形態に係る通信制御システムでの、サービス制御局による処理を示すフローチャートである。
【図１６】第４実施形態に係る通信制御システムでの、移動通信端末が他の交換機の配下から移動してきたときの処理を説明するための図である。
【図１７】第４実施形態に係る通信制御システムでの、交換機による処理を示すフローチャートである。
【図１８】ＣＡＭＥＬ報告を受信したサービス制御局の処理を示すフローチャートである
【図１９】第４実施形態に係る通信制御システムでの、サービス制御局による処理を示すフローチャートである。
【符号の説明】
【０１９２】
ＣＣ１〜ＣＣ４…通信制御システム、ＭＭ１，ＭＭ２…交換機、ＳＣ１…サービス制御局、ＭＢ１，ＭＢ２…移動通信端末、１０，３０…ＶＬＲ、２０…ＨＬＲ、１１，２１…受信部、１２，２２…送信部、１３，２３…制御部、１４，２４…抽出部、１５，２５…判断部、１６，２６…計時部、１７，２７…指示部。
【図１】
2010016565.tif 000003
【図２】
2010016565.tif 000004
【図３】
2010016565.tif 000005
【図４】
2010016565.tif 000006
【図５】
2010016565.tif 000007
【図６】
2010016565.tif 000008
【図７】
2010016565.tif 000009
【図８】
2010016565.tif 000010
【図９】
2010016565.tif 000011
【図１０】
2010016565.tif 000012
【図１１】
2010016565.tif 000013
【図１２】
2010016565.tif 000014
【図１３】
2010016565.tif 000015
【図１４】
2010016565.tif 000016
【図１５】
2010016565.tif 000017
【図１６】
2010016565.tif 000018
【図１７】
2010016565.tif 000019
【図１８】
2010016565.tif 000020
【図１９】
2010016565.tif 000021